(57)【特許請求の範囲】
【請求項１】
第１の固定要素（１０３）、更なる固定要素（１０４）、および、折り曲げ平面複合体
（１０１）を備える装置（１００）であって、
前記第１の固定要素（１０３）が第１の固定面（１０５）を備え、前記更なる固定要素
（１０４）が更なる固定面（１０６）を備え、
前記折り曲げ平面複合体（１０１）は、少なくとも一部が前記第１の固定面（１０５）
と前記更なる固定面（１０６）との間で固定され、
前記折り曲げ平面複合体（１０１）が第１の複合領域（１０７）と更なる複合領域（１
０８）とを備え、
前記第１の複合領域（１０７）が第１の層配列を備え、この第１の層配列は、前記更な
る固定面（１０６）から前記第１の固定面（１０５）へと向かう方向で互いに重なり合う
層として、第１の複合層（２０１）、第２の複合層（２０２）、第３の複合層（２０３）
、および、第４の複合層（２０４）を備え、
前記第１の複合領域（１０７）では、前記第３の複合層（２０３）が前記第４の複合層
（２０４）に結合され、
前記更なる複合領域（１０８）が更なる層配列を備え、この更なる層配列は、前記更な
る固定面（１０６）から前記第１の固定面（１０５）へと向かう方向で互いに重なり合う
層として、前記第１の複合層（２０１）、前記第２の複合層（２０２）、および、前記第
４の複合層（２０４）を備え、
前記更なる複合領域（１０８）では、前記第２の複合層（２０２）が前記第４の複合層
（２０４）に結合され、
前記更なる複合領域（１０８）が前記第１の複合領域（１０７）に隣接し、
前記第１の複合層（２０１）が第１のキャリア層（２０５）を備え、
前記第２の複合層（２０２）が第２のキャリア層（２０８）を備え、
前記第３の複合層（２０３）が第３のキャリア層（２０９）を備え、
前記第４の複合層（２０４）が第４のキャリア層（２１２）を備え、
前記第１の複合領域（１０７）において、前記第１のキャリア層（２０５）または前記
第４のキャリア層（２１２）またはこれらの両方のそれぞれは、前記第２のキャリア層（
２０８）または前記第３のキャリア層（２０９）またはこれらの両方のそれぞれよりも大
きい層厚によって特徴付けられ、
前記更なる複合領域（１０８）において、前記第２のキャリア層（２０８）は、前記第
１の複合領域（１０７）における前記第２のキャリア層（２０８）の層厚よりも大きい層厚によって特徴付けられ、
前記更なる固定面（１０６）が凹部（２１３）を備え、
前記第１の複合領域（１０７）および前記更なる複合領域（１０８）はそれぞれ、少な
くとも一部が前記凹部（２１３）と前記第１の固定面（１０５）との間に位置される、
装置（１００）。
【請求項２】
前記第１の複合層（２０１）は、前記更なる固定面（１０６）から前記第１の固定面（
１０５）へと向かう方向で第１の複合層配列として、前記第１のキャリア層（２０５）お
よび第１のバリア層（２０６）を備え、
前記第２の複合層（２０２）は、前記更なる固定面（１０６）から前記第１の固定面（
１０５）へと向かう方向で第２の複合層配列として、第２のバリア層（２０７）および前
記第２のキャリア層（２０８）を備え、
前記第３の複合層（２０３）は、前記更なる固定面（１０６）から前記第１の固定面（
１０５）へと向かう方向で第３の複合層配列として、前記第３のキャリア層（２０９）お
よび第３のバリア層（２１０）を備え、
前記第４の複合層（２０４）は、前記更なる固定面（１０６）から前記第１の固定面（
１０５）へと向かう方向で第４の複合層配列として、第４のバリア層（２１１）および前
記第４のキャリア層（２１２）を備える、
請求項１に記載の装置（１００）。
【請求項３】
前記第１の固定要素（１０３）または前記更なる固定要素（１０４）またはこれらの両
方の固定要素がソノトロードである、請求項１又は請求項２に記載の装置（１００）。
【請求項４】
前記ソノトロードは、少なくとも９０ｗｔ．−％チタンまたはアルミニウムまたはこれ
らの両方を合金の重量に基づいて含有する合金、鋼、および、圧電セラミック、または、
これらのうちの少なくとも２つの組み合わせから成るグループから選択される１つを備え
る、請求項３に記載の装置（１００）。
【請求項５】
前記第１の複合領域（１０７）が第１の幅（１０９）によって特徴付けられ、
前記第１の幅（１０９）が１〜１０ｍｍの範囲内にある、
請求項１から４のいずれか一項に記載の装置（１００）。
【請求項６】
前記更なる複合領域（１０８）が更なる幅（１１０）によって特徴付けられ、
前記更なる幅（１１０）が１〜１０ｍｍの範囲内にある、
請求項１から５のいずれか一項に記載の装置（１００）。
【請求項７】
前記凹部（２１３）は、前記更なる固定要素（１０４）の外周の方向で長さ（３０１）
を有し、
前記凹部（２１３）の幅（３０２）が前記外周に沿って減少する、
請求項１から６のいずれか一項に記載の装置（１００）。
【請求項８】
前記凹部（２１３）は、第１の縁部（３０４）と更なる縁部（３０３）とによって前記
凹部（２１３）の両側で境界付けられ、
前記第１の縁部（３０４）は直線状の第１の縁部分（３０４）を構成し、
前記更なる縁部（３０３）は直線状の更なる縁部分（３０３）を構成し、
前記直線状の第１の縁部分（３０４）および前記直線状の更なる縁部分（３０３）は、
５〜３０°の範囲内の角度（３０５）を成す、
請求項１から７のいずれか一項に記載の装置（１００）。
【請求項９】
前記第１の複合領域（１０７）において、前記第１のキャリア層（２０５）または前記
第４のキャリア層（２１２）またはこれらの両方のそれぞれの層厚は、前記第２のキャリ
ア層（２０８）または前記第３のキャリア層（２０９）またはこれらの両方のそれぞれの
層厚の１．１〜２０倍である、請求項１から８のいずれか一項に記載の装置（１００）。
【請求項１０】
前記更なる複合領域（１０８）において、前記第２のキャリア層（２０８）の層厚は、
前記第１の複合領域（１０７）におけるこの第２のキャリア層（２０８）の層厚の１．１
〜２０倍である請求項１から９のいずれか一項に記載の装置（１００）。
【請求項１１】
前記第１の複合領域（１０７）では、前記第２の複合層（２０２）が前記第３の複合層
（２０３）に結合されない、請求項１から１０のいずれか一項に記載の装置（１００）。
【請求項１２】
前記第１の複合領域（１０７）において、
ａ）前記第３のキャリア層（２０９）と対向している前記第２のキャリア層（２０８）
の表面、および、
ｂ）前記第２のキャリア層（２０８）と対向している前記第３のキャリア層（２０９）
の表面、
はそれぞれ、最上層を備えないとともに、最上層に結合されない、
請求項１から１１のいずれか一項に記載の装置（１００）。
【請求項１３】
前記折り曲げ平面複合体（１０１）が内部（１１３）を取り囲む容器前駆体（１０２）
である、請求項１から１２のいずれか一項に記載の装置（１００）。
【請求項１４】
前記折り曲げ平面複合体（１０１）が一体に構成される、請求項１から１３のいずれか
一項に記載の装置（１００）。
【請求項１５】
前記凹部（２１３）が０．１〜５ｍｍの範囲内の深さ（２１４）を有する、請求項１か
ら１４のいずれか一項に記載の装置（１００）。
【請求項１６】
方法ステップ（４０１〜４０４）として
ａ）折り曲げ平面複合体（１０１）を準備する方法ステップであって、
前記折り曲げ平面複合体（１０１）が、第１の複合層（２０１）、第２の複合層（２０
２）、第３の複合層（２０３）、第４の複合層（２０４）、第１の複合領域（１０７）、
および、更なる複合領域（１０８）を備え、
前記第１の複合層（２０１）と前記第２の複合層（２０２）との間に中間領域（５００
）が位置され、
前記第１の複合層（２０１）が第１のキャリア層（２０５）を備え、
前記第２の複合層（２０２）が第２のキャリア層（２０８）を備え、
前記第３の複合層（２０３）が第３のキャリア層（２０９）を備え、
前記第４の複合層（２０４）が第４のキャリア層（２１２）を備え、
前記第１の複合領域（１０７）が第１の層配列を備え、この第１の層配列は、前記中間
領域（５００）から前記第１の層配列を通り抜ける方向で互いに重なり合う層として、前
記第２の複合層（２０２）、前記第３の複合層（２０３）、および、前記第４の複合層（
２０４）を備え、
前記第１の複合領域（１０７）では、前記第３の複合層（２０３）が前記第４の複合層
（２０４）に結合され、
前記第１の複合領域（１０７）において、前記第１のキャリア層（２０５）または前記
第４のキャリア層（２１２）またはこれらの両方のそれぞれは、前記第２のキャリア層（
２０８）または前記第３のキャリア層（２０９）またはこれらの両方のそれぞれよりも大
きい層厚によって特徴付けられ、
前記更なる複合領域（１０８）が更なる層配列を備え、この更なる層配列は、前記中間
領域（５００）から前記更なる層配列を通り抜ける方向で互いに重なり合う層として、前
記第２の複合層（２０２）および前記第４の複合層（２０４）を備え、
前記更なる複合領域（１０８）では、前記第２の複合層（２０２）が前記第４の複合層
（２０４）に結合され、
前記更なる複合領域（１０８）において、前記第２のキャリア層（２０８）は、前記第
１の複合領域（１０７）における層厚よりも大きい層厚によって特徴付けられる、方法ス
テップと、
ｂ）第１の固定面（１０５）を備える第１の固定要素（１０３）と、更なる固定面（１
０６）を備える更なる固定要素（１０４）とを準備する方法ステップであって、
前記更なる固定面（１０６）が凹部（２１７）を備える、方法ステップと、
ｃ）前記第４の複合層（２０４）を前記第１の固定面（１０５）と接触させ、前記第１
の複合層（２０１）を前記更なる固定面（１０６）と接触させるとともに、前記第１の複
合層（２０１）を前記第２の複合層（２０２）と接触させる方法ステップであって、
前記第１の複合領域（１０７）および前記更なる複合領域（１０８）はそれぞれ、少な
くとも一部が前記凹部（２１３）と前記第１の固定面（１０５）との間に位置される、方
法ステップと、
ｄ）前記第１の複合層（２０１）を前記第２の複合層（２０２）に結合する方法ステッ
プと、
を備える方法（４００）。
【請求項１７】
前記方法ステップｄ）（４０４）において、前記第１の固定面（１０５）または前記更
なる固定面（１０６）またはこれらの両方の固定面は、
ａ）１０〜５０ｋＨｚの範囲内の周波数、または、
ｂ）３〜２０μｍの範囲内の振幅、または、
ｃ）これらの両方
を伴って前記平面複合体（１０１）に当て付いて振動する、請求項１６に記載の方法（
４００）。
【請求項１８】
前記方法ステップｄ）（４０４）において、前記結合は、前記第１の固定要素（１０３
）からまたは前記更なる固定要素（１０４）からまたはこれらの両方の固定要素から前記
折り曲げ平面複合体（１０１）への超音波振動の伝達によるシールである、請求項１６ま
たは請求項１７に記載の方法（４００）。
【請求項１９】
前記超音波振動が５０〜５００ｍｓの範囲内の継続時間にわたって励起される、請求項
１８に記載の方法（４００）。
【請求項２０】
前記方法ステップａ）（４０１）では、前記折り曲げ平面複合体（１０１）が容器前駆
体（１０２）であり、
前記方法ステップｄ）（４０４）では、前記結合が前記容器前駆体（１０２）の閉鎖で
ある、請求項１６から１９のいずれか一項に記載の方法（４００）。
【請求項２１】
方法ステップｃ）（４０３）の前に前記容器前駆体（１０２）内へ食料品が導入される
請求項２０に記載の方法（４００）。
【請求項２２】
前記方法ステップｄ）（４０４）では、密閉容器（７００）が得られ、
前記密閉容器（７００）は、オートクレーブ滅菌され、または、低温殺菌され、または
、これらの両方の滅菌が施される、
請求項２０または請求項２１に記載の方法（４００）。
【請求項２３】
前記方法ステップｃ）（４０３）の前に前記容器前駆体（１０２）が滅菌される、請求
項２０から２２のいずれか一項に記載の方法（４００）。
【請求項２４】
請求項１６から２３のいずれか一項に記載の方法（４００）によって得ることができる
密閉容器（７００）。
【請求項２５】
内部（１１３）を取り囲む密閉容器（８００）であって、前記密閉容器（８００）が折
り曲げ平面複合体（１０１）を備え、
前記折り曲げ平面複合体（１０１）が第１の継ぎ目領域（８０３）と更なる継ぎ目領域
（８０４）とを備え、
前記第１の継ぎ目領域（８０３）が継ぎ目（８０２）に沿って前記更なる継ぎ目領域（
８０４）に結合され、
前記第１の継ぎ目領域（８０３）または前記更なる継ぎ目領域（８０４）またはこれら
の両方の継ぎ目領域が前記継ぎ目（８０２）に沿って凹陥部（８０１）を有し、
前記更なる継ぎ目領域（８０４）は、第１の複合層（２０１）を含み、
前記第１の継ぎ目領域（８０３）は、第２の複合層（２０２）、第３の複合層（２０３）、第４の複合層（２０４）、第１の複合領域（１０７）、および更なる複合領域（１０８）を備え、
前記継ぎ目（８０２）は、前記第１の複合層（２０１）と前記第２の複合層（２０２）との間にあり、
前記第１の複合層（２０１）が第１のキャリア層（２０５）を備え、
前記第２の複合層（２０２）が第２のキャリア層（２０８）を備え、
前記第３の複合層（２０３）が第３のキャリア層（２０９）を備え、
前記第４の複合層（２０４）が第４のキャリア層（２１２）を備え、
前記第１の複合領域（１０７）が第１の層配列を備え、この第１の層配列は、前記継ぎ目（８０２）から前記第１の層配列を通り抜ける方向で互いに重なり合う層として、前記第２の複合層（２０２）、前記第３の複合層（２０３）、および前記第４の複合層（２０４）を備え、
前記第１の複合領域（１０７）では、前記第３の複合層（２０３）が前記第４の複合層（２０４）に結合され、
前記第１の複合領域（１０７）では、前記第４のキャリア層（２１２）は、前記第２のキャリア層（２０８）または前記第３のキャリア層（２０９）またはこれらの両方のそれぞれよりも大きい層厚によって特徴付けられ、
前記更なる複合領域（１０８）が更なる層配列を備え、この更なる層配列は、前記継ぎ目（８０２）から前記更なる層配列を通り抜ける方向で互いに重なり合う層として、前記第２の複合層（２０２）、および前記第４の複合層（２０４）を備え、
前記更なる複合領域（１０８）では、前記第２の複合層（２０２）が前記第４の複合層（２０４）に結合され、
前記更なる複合領域（１０８）において、前記第２のキャリア層（２０８）は、前記第１の複合領域（１０７）における前記第２のキャリア層（２０８）の層厚よりも大きい層厚によって特徴付けられ、前記更なる複合領域（１０８）が前記第１の複合領域（１０７）に隣接している、
密閉容器（８００）。
【請求項２６】
前記第１の複合層（２０１）を前記第２の複合層（２０２）に結合するための請求項１
から１５のいずれか一項に記載の装置（１００）の使用。
【発明の詳細な説明】
【技術分野】
【０００１】
本発明は、第１の固定要素、凹部を備える更なる固定要素、および、折り曲げ平面複合体を備える、特に平面複合体を備える容器前駆体を閉鎖するための装置、第１の固定要素および凹部を備える更なる固定要素によって平面複合体の第１の複合層を第２の複合層に結合するための方法、前記方法により得ることができる密閉容器、継ぎ目および凹陥部を備える密閉容器、および、前記装置の使用に関する。
【０００２】
長期にわたって、食料品は、人が消費するための食料品であろうとあるいは動物飼料製品であろうと、缶内にまたは蓋で閉じられるガラス瓶内に格納されることによって保存されてきた。保管寿命は、ここでは、一方において、食料品および容器、ここではガラス瓶または缶を別々にいずれの場合にも可能な限り殺菌した後、容器に食料品を充填して容器を密閉することによって延ばすことができる。しかしながら、食料品の保管寿命を延ばすためのそれ自体長期間にわたって検証されてきたこれらの措置は、多くの不都合を有し、例えば下流側の滅菌を再び必要とする。缶およびガラス瓶は、それらの略円筒状の形状に起因して、非常に密度が高くスペースをとらない格納が不可能であるという不都合を有する。更に、缶およびガラス瓶はかなりの固有重量を有し、そのため、輸送中にエネルギー消費量が増大する。ガラス、スズプレート、または、アルミニウムの製造には、このために使用される原材料がリサイクル由来の場合であっても、非常に高いエネルギー消費量が更に必要である。ガラス瓶の場合には、輸送にかかる高い支出が厄介な問題として加わる。ガラス瓶は、通常、ガラス製造において事前に製造され、その後、かなりの輸送量を利用する食料品充填プラントへ輸送されなければならない。更に、ガラス瓶および缶は、力をかなり加えなければまたは工具の助けを借りなければ開けることができず、したがって、かなり不便である。缶の場合には、開封中に生じる鋭利な縁によって怪我をする高いリスクもある。ガラス瓶の場合には、充填中にまたは充填されたガラス瓶の開封中にガラスの破片が絶えず食料品中に入る可能性があり、最悪の場合には、食料品の消費時に身体内の負傷を引き起こす可能性がある。更に、食料品内容の識別および広告のために缶およびガラス瓶の両方にラベルを貼り付けなければならない。ガラス瓶および缶に情報および広告の画像を直接に印刷できない。したがって、このため、実際の印刷に加えて、このための基材、すなわち、紙または適切なフィルム、および、固定手段、接着剤またはシール組成体が必要である。
【０００３】
食料品をできる限り長期間にわたって損傷を伴うことなく保管するための他の包装システムが従来技術から知られている。これらは、平面複合体−しばしば積層体とも呼ばれる−から形成される容器である。特に国際公開第９０／０９９２６号パンフレットに開示されるように、そのような平面複合体は、しばしば、熱可塑性物質の層、通常はボール紙または紙から形成されるキャリア層、接着促進剤層、バリア層、および、プラスチックの更なる層から作り上げられる。
【０００４】
これらの積層容器は、従来のガラス瓶および缶に優る多くの利点を既に有する。それにもかかわらず、これらの包装システムにおいても改善の可能性が存在する。
【０００５】
このように、積層容器は、しばしば、それらが数回折り曲げられた積層体から形成され、密閉容器のジャケット状または管状の前駆体を最初に形成するために積層体の両端領域が互いにシールされるという点において特徴付けられる。互いにシールされる端部領域は、ここでは、密閉容器にも存在する縦方向継ぎ目を形成する。この縦方向継ぎ目は、容器の内側および外側の両方に積層体の境界縁部を備え、この境界縁部では水分が積層体の層状構造中へ、特に通常はボール紙または紙から形成されるキャリア層中へ浸入する可能性がある。これは、少なくとも縦方向継ぎ目の内側で防止されなければならない。それは、水を含む食料品が容器内に格納される可能性があるからである。従来技術では、このため、縦方向継ぎ目の形成前に境界縁部となるものの領域で積層体がスカイブ加工され、また、スカイブ加工された領域がそれ自体の上に折り重ねられるようにスカイブ加工された領域で折り曲げ部が形成される。その後、縦方向継ぎ目が例えばシールによって形成される。このため、それ自体の上に折り重ねられてしまったスカイブ加工された領域は、折り曲げによってその上に配置されてしまった積層体の更なる領域と共に加圧される。この時点で容器前駆体の内側に面している縦方向継ぎ目の境界縁部は、いたるところ隅々で水が浸入しないように積層体の最内層によって保護される。このようにして得られる容器前駆体は、充填後に、特に頭部領域で閉鎖されなければならない。これは、通常は、縦方向継ぎ目に対して垂直な加圧およびシールによって行われる。加圧前に、加圧されるべき縦方向継ぎ目は、容器前駆体の内側から離れる方向を向く側に厚肉部を有する。これは、それ自体の上に折り重ねられるスカイブ加工された領域が積層体の厚さの残りの部分よりも厚くなり得ることから、または、積層体の少なくとも２つの領域が縦方向継ぎ目の領域で互いの上に横たわることから生じ得る。縦方向継ぎ目の全体にわたって延在するこの厚肉領域が過度に締め付けられることによって例えば容器前駆体の頭部領域で加圧時に損傷されないように、厚肉領域をその間で加圧する２つのジョーのうちの一方が、厚肉部を受けるための凹部を有さなければならない。従来技術では、至極当然のことながら、縦方向継ぎ目の厚肉側と係合する加圧のジョーに凹部が配置される。驚くべきことに、この配置を改善できるとともに、達成できる漏れ止め性を高めることができることが分かった。
【発明の概要】
【発明が解決しようとする課題】
【０００６】
一般に、本発明の目的は、従来技術から浮かび上がる不都合を少なくとも部分的に克服することである。本発明の更なる目的は、容器または容器前駆体の継ぎ目、好ましくは縦方向継ぎ目が外側でまたは内側でまたはこれらの両方で水分の浸入から保護される、容器または容器前駆体またはこれらの両方を提供することである。本発明の更なる目的は、高い漏れ止め性を伴う継ぎ目、好ましくは頭部継ぎ目またはゲーブル継ぎ目を有する容器を提供することである。本発明の更なる目的は、チャネルまたは変色またはこれらの両方を引き起こす漏れが少ない、継ぎ目、好ましくは頭部継ぎ目またはゲーブル継ぎ目を有する容器を提供することである。本発明の更なる目的は、容器ができる限り液密であるまたは気密である、容器を提供することである。本発明の更なる目的は、容器が備える製品の風味を容器が可能な限り低下させない、容器を提供することである。本発明の更なる目的は、容器が前記利点のうちの２つ以上の組み合わせを有する、容器を提供することである。本発明の更なる目的は、容器または容器前駆体の製造が、シール工具、特にソノトロードの耐用年数が長いこと、塵埃の発現が少ないこと、ノイズの発現が少ないこと、および、分離工具の耐用年数が長いこと、または、これらの少なくとも２つの組み合わせから成るグループから選択される１つによって特徴付けられる、容器または容器前駆体またはこれらの両方を提供することである。本発明の更なる目的は、上下に位置する容器または容器前駆体のキャリア材料のスカイブ加工される領域間に位置される例えばシール層または接着剤などの付加的な結合材料が可能な限り少ない、容器または容器前駆体またはこれらの両方を提供することである。本発明の更なる目的は、容器または容器前駆体のスカイブ加工されるキャリア層の層厚に関して比較的大きい選択可能性がある、容器または容器前駆体またはこれらの両方を提供することである。本発明の更なる目的は、容器または容器前駆体の壁のスカイブ加工される領域がより安定しておりまたはより硬質であり、したがって、より耐久性があるまたは処理がより容易であるまたはこれらの両方である、容器または容器前駆体またはこれらの両方を提供することである。
【０００７】
本発明の更なる目的は、方法によって製造できる容器の不良品、特に漏れ止め性が不十分な容器の割合がより低い、容器を製造するための方法を提供することである。本発明の更なる目的は、方法が更に簡単であるまたは更に高速であるまたはこれらの両方である、容器を製造するための方法を提供することである。本発明の更なる目的は、好ましくは容器の頭部領域で可能な限り液密または気密なシールが得られる、容器を製造するための方法を提供することである。本発明の更なる目的は、シール工具の耐用年数が向上される、容器を製造するための方法を提供することである。本発明の更なる目的は、好ましくは容器の頭部領域で、シールによる容器層の退色、特に容器層の燃焼ができる限り回避される、容器を製造するための方法を提供することである。本発明の更なる目的は、好ましくは容器の頭部領域でシール中および加圧中に容器層が可能な限り均一に一緒に加圧される、容器を製造するための方法を提供することである。本発明の更なる目的は、方法が前記利点のうちの２つ以上の組み合わせを有する、容器を製造するための方法を提供することである。
【課題を解決するための手段】
【０００８】
前記目的のうちの少なくとも１つを少なくとも部分的に満たす方向の寄与は、独立請求項によって成される。従属請求項は、目的のうちの少なくとも１つを少なくとも部分的に満たす方向で寄与する好ましい実施形態を与える。
【０００９】
本発明に係る目的のうちの少なくとも１つを達成するための寄与は、第１の固定要素、更なる固定要素、および、折り曲げ平面複合体を備える装置１の実施形態１によって成され、この場合、第１の固定要素が第１の固定面を備え、更なる固定要素が更なる固定面を備え、折り曲げ平面複合体は、少なくとも一部が第１の固定面と更なる固定面との間で固定され、折り曲げ平面複合体が第１の複合領域と更なる複合領域とを備え、第１の複合領域が第１の層配列を備え、この第１の層配列は、更なる固定面から第１の固定面へと向かう方向で互いに重なり合う層として、第１の複合層、第２の複合層、第３の複合層、および、第４の複合層を備え、第１の複合領域では、第３の複合層が第４の複合層に結合され、更なる複合領域が更なる層配列を備え、この更なる層配列は、更なる固定面から第１の固定面へと向かう方向で互いに重なり合う層として、第１の複合層、第２の複合層、および、第４の複合層を備え、更なる複合領域では、第２の複合層が第４の複合層に結合され、更なる複合領域が第１の複合領域に隣接し、第１の複合層が第１のキャリア層を備え、第２の複合層が第２のキャリア層を備え、第３の複合層が第３のキャリア層を備え、第４の複合層が第４のキャリア層を備え、第１の複合領域において、第１のキャリア層または第４のキャリア層またはこれらの両方のそれぞれは、第２のキャリア層または第３のキャリア層またはこれらの両方のそれぞれよりも大きい層厚によって特徴付けられ、更なる複合領域において、第２のキャリア層は、第１の複合領域における層厚よりも大きい層厚によって特徴付けられ、更なる固定面が凹部を備え、第１の複合領域および更なる複合領域はそれぞれ、少なくとも一部が凹部と第１の固定面との間に位置される。
【００１０】
本発明に係る装置１の実施形態２は実施形態１にしたがって構成され、この場合、第１の複合層は、更なる固定面から第１の固定面へと向かう方向で第１の複合層配列として、第１のキャリア層および第１のバリア層を備え、第２の複合層は、更なる固定面から第１の固定面へと向かう方向で第２の複合層配列として、第２のバリア層および第２のキャリア層を備え、第３の複合層は、更なる固定面から第１の固定面へと向かう方向で第３の複合層配列として、第３のキャリア層および第３のバリア層を備え、第４の複合層は、更なる固定面から第１の固定面へと向かう方向で第４の複合層配列として、第４のバリア層および第４のキャリア層を備える。
【００１１】
本発明に係る装置１の実施形態３は、先行する実施形態のうちの１つにしたがって構成され、この場合、第１の固定要素または更なる固定要素またはこれらの両方の固定要素がソノトロードである。好ましくは、第１の固定要素がソノトロードである。この場合、更なる固定要素がソノトロードのためのアンビルであることが好ましい。本発明に係る装置が連続的なプロセスで使用される場合には、第１の固定要素および更なる固定要素がソノトロードであることが好ましい。
【００１２】
本発明に係る装置１の実施形態４は実施形態３にしたがって構成され、この場合、ソノトロードは、少なくとも９０ｗｔ．−％、好ましくは少なくとも９３ｗｔ．−％、より好ましくは少なくとも９５ｗｔ．−％のチタンまたはアルミニウムまたはこれらの両方を合金の重量に基づいて含有する合金、鋼、および、圧電セラミック、または、これらのうちの少なくとも２つの組み合わせから成るグループから選択される１つを備え、好ましくはそれらから成る。好ましい鋼は焼結鋼である。
【００１３】
本発明に係る装置１の実施形態５は、先行する実施形態のうちの１つにしたがって構成され、この場合、第１の複合領域が第１の幅によって特徴付けられ、第１の幅は、１〜１０ｍｍの範囲内、好ましくは２〜９ｍｍの範囲内、より好ましくは３〜８ｍｍの範囲内、より好ましくは３〜７ｍｍの範囲内、最も好ましくは４〜６．５ｍｍの範囲内である。
【００１４】
本発明に係る装置１の実施形態６は、先行する実施形態のうちの１つにしたがって構成され、この場合、更なる複合領域が更なる幅によって特徴付けられ、更なる幅は、１〜１０ｍｍの範囲内、好ましくは２〜９ｍｍの範囲内、より好ましくは３〜８ｍｍの範囲内、より好ましくは３〜７ｍｍの範囲内、最も好ましくは４〜６．５ｍｍの範囲内である。
【００１５】
本発明に係る装置１の実施形態７は、先行する実施形態のうちの１つにしたがって構成され、この場合、凹部は、更なる固定要素の外周の方向で長さを有し、凹部の幅が外周に沿って小さくなる。
【００１６】
本発明に係る装置１の実施形態８は、先行する実施形態のうちの１つにしたがって構成され、この場合、凹部は、第１の縁部と更なる縁部とによって凹部の両側で境界付けられ、第１の縁部は直線状の第１の縁部分を構成し、更なる縁部は直線状の更なる縁部分を構成し、直線状の第１の縁部分および直線状の更なる縁部分は、５〜３０°の範囲内、好ましくは５〜２５°の範囲内、より好ましくは５〜２０°の範囲内、最も好ましくは１０〜２０°の範囲内の角度を成す。
【００１７】
本発明に係る装置１の実施形態９は、先行する実施形態のうちの１つにしたがって構成され、この場合、第１の複合領域において、第１のキャリア層または第４のキャリア層またはこれらの両方のそれぞれの層厚は、第２のキャリア層または第３のキャリア層またはこれらの両方のそれぞれの層厚のそれぞれ１．１〜２０倍、好ましくは１．１〜１５倍、より好ましくは１．１〜１０倍、より好ましくは１．１〜５倍、より好ましくは１．１〜３倍、より好ましくは１．１〜２．５倍、より好ましくは１．２〜２．４倍、更により好ましくは１．２〜２．４倍、最も好ましくは１．３〜２．３倍である。
【００１８】
本発明に係る装置１の実施形態１０は、先行する実施形態のうちの１つにしたがって構成され、この場合、更なる複合領域において、第２のキャリア層の層厚は、第１の複合領域におけるこの第２のキャリア層の層厚の１．１〜２０倍、好ましくは１．１〜１５倍、より好ましくは１．１〜１０倍、より好ましくは１．１〜５倍、より好ましくは１．１〜３倍、より好ましくは１．１〜２．５倍、より好ましくは１．２〜２．４倍、更により好ましくは１．２〜２．４倍、最も好ましくは１．３〜２．３倍である。
【００１９】
本発明に係る装置１の実施形態１１は、先行する実施形態のうちの１つにしたがって構成され、この場合、第１の複合領域では、第２の複合層が第３の複合層に結合されない。好ましくは、第１の複合領域における第２の複合層および第３の複合層は、接触するが、結合されない。好ましくは、第１の複合領域において、第３の複合層と対向する第２の複合層の表面のうちの１つの少なくとも２０％、より好ましくは少なくとも３０％、より好ましくは少なくとも４０％、より好ましくは少なくとも５０％、より好ましくは少なくとも６０％、より好ましくは少なくとも７０％、更により好ましくは少なくとも８０％、更により好ましくは少なくとも９０％、最も好ましくは少なくとも９５％は、第３の複合層と接触し、好ましくは第３の複合層に結合されない。更に好ましくは、第２の複合層および第３の複合層は、それらが第１の複合領域に隣接する少なくとも１つの複合領域で互いに結合されるように互いに保持される。好ましくは、前述した隣接する複合領域内の第２の複合層は、折り曲げ部で第３の複合層へと続く。更なる実施形態では、第１の複合領域において、第２の複合層は、第３の複合層に結合されないとともに第３の複合層と接触もしない。本発明に係る更なる実施形態において、第１の複合領域における第２の複合層および第３の複合層は、好ましくは、第３の複合層と対向する第２の複合層の表面の少なくとも２０％、より好ましくは少なくとも３０％、より好ましくは少なくとも４０％、より好ましくは少なくとも５０％、より好ましくは少なくとも６０％、より好ましくは少なくとも７０％、更により好ましくは少なくとも８０％、更により好ましくは少なくとも９０％、最も好ましくは少なくとも９５％にわたって互いに結合される。これに関連して、第１の複合領域における第２の複合層および第３の複合層は、好ましくは互いに加圧されまたは互いにシールされ、あるいは、加圧およびシールの両方がなされる。
【００２０】
本発明に係る装置１の実施形態１２は、先行する実施形態のうちの１つにしたがって構成され、この場合、第１の複合領域において、
ａ）第３のキャリア層と対向する第２のキャリア層の表面、および、
ｂ）第２のキャリア層と対向する第３のキャリア層の表面、
はそれぞれ、最上層を備えない、好ましくは「コート」を備えないとともに、最上層に結合されない、好ましくは「コート」に結合されない。
【００２１】
本発明に係る装置１の実施形態１３は、先行する実施形態のうちの１つにしたがって構成され、この場合、第１のキャリア層、第２のキャリア層、第３のキャリア層、および、第４のキャリア層、または、これらのうちの少なくとも２つの組み合わせから成るグループから選択される１つは、ボール紙、厚紙、および、紙、または、これらのうちの少なくとも２つの組み合わせから成るグループから選択される１つを備える。好ましくは、第１のキャリア層、第２のキャリア層、第３のキャリア層、および、第４のキャリア層、または、これらのうちの少なくとも２つの組み合わせから成るグループから選択される１つは、ボール紙、厚紙、および、紙、または、これらのうちの少なくとも２つの組み合わせから成るグループから選択される１つから成る。
【００２２】
本発明に係る装置１の実施形態１４は、実施形態２から１３のうちの１つにしたがって構成され、この場合、第１のバリア層、第２のバリア層、第３のバリア層、および、第４のバリア層、または、これらのうちの少なくとも２つの組み合わせから成るグループから選択される１つは、アルミニウムまたはバリアプラスチックまたはこれらの両方を備える。好ましくは、第１のバリア層、第２のバリア層、第３のバリア層、および、第４のバリア層、または、これらのうちの少なくとも２つの組み合わせから成るグループから選択される１つは、アルミニウムまたはバリアプラスチックまたはこれらの両方から成る。
【００２３】
本発明に係る装置１の実施形態１５は、先行する実施形態のうちの１つにしたがって構成され、この場合、折り曲げ平面複合体が内部を取り囲む容器前駆体である。
【００２４】
本発明に係る装置１の実施形態１６は実施形態１５にしたがって構成され、この場合、容器前駆体が食料品を備える。
【００２５】
本発明に係る装置１の実施形態１７は、先行する実施形態のうちの１つにしたがって構成され、この場合、折り曲げ平面複合体が一体に構成される。
【００２６】
本発明に係る装置１の実施形態１８は、先行する実施形態のうちの１つにしたがって構成され、この場合、凹部は、０．１〜５ｍｍの範囲内、好ましくは０．１〜４ｍｍの範囲内、より好ましくは０．１〜３ｍｍの範囲内、より好ましくは０．１〜２ｍｍの範囲内、より好ましくは０．１〜１ｍｍの範囲内、最も好ましくは０．２〜０．５ｍｍの範囲内の深さを有する。
【００２７】
本発明に係る目的のうちの少なくとも１つを達成するための寄与は、方法１の実施形態１によって成され、この方法１の実施形態１は、方法ステップとして
ａ）折り曲げ平面複合体を準備する方法ステップであって、
折り曲げ平面複合体が、第１の複合層、第２の複合層、第３の複合層、第４の複合層、第１の複合領域、および、更なる複合領域を備え、
第１の複合層と第２の複合層との間に中間領域が位置され、
第１の複合層が第１のキャリア層を備え、
第２の複合層が第２のキャリア層を備え、
第３の複合層が第３のキャリア層を備え、
第４の複合層が第４のキャリア層を備え、
第１の複合領域が第１の層配列を備え、この第１の層配列は、中間領域から第１の層配列を通り抜ける方向で互いに重なり合う層として、第２の複合層、第３の複合層、および、第４の複合層を備え、
第１の複合領域では、第３の複合層が第４の複合層に結合され、
第１の複合領域において、第１のキャリア層または第４のキャリア層またはこれらの両方のそれぞれは、第２のキャリア層または第３のキャリア層またはこれらの両方のそれぞれよりも大きい層厚によって特徴付けられ、
更なる複合領域が更なる層配列を備え、この更なる層配列は、中間領域から更なる層配列を通り抜ける方向で互いに重なり合う層として、第２の複合層および第４の複合層を備え、
更なる複合領域では、第２の複合層が第４の複合層に結合され、
更なる複合領域において、第２のキャリア層は、第１の複合領域における層厚よりも大きい層厚によって特徴付けられる、方法ステップと、
ｂ）第１の固定面を備える第１の固定要素と、更なる固定面を備える更なる固定要素とを準備する方法ステップであって、
更なる固定面が凹部を備える、方法ステップと、
ｃ）第４の複合層を第１の固定面と接触させ、第１の複合層を更なる固定面と接触させるとともに、第１の複合層を第２の複合層と接触させる方法ステップであって、
第１の複合領域および更なる複合領域はそれぞれ、少なくとも一部が凹部と第１の固定面との間に位置される、方法ステップと、
ｄ）第１の複合層を第２の複合層に結合する方法ステップと、
を備える。
【００２８】
本発明に係る方法１の実施形態２は実施形態１にしたがって構成され、この場合、方法ステップｄ）において、第１の固定面または更なる固定面またはこれらの両方の固定面は、
ａ）１０〜５０ｋＨｚの範囲内、好ましくは１０〜４５ｋＨｚの範囲内、より好ましくは１０〜４０ｋＨｚの範囲内、より好ましくは１５〜３５ｋＨｚの範囲内、最も好ましくは２０〜３５ｋＨｚの範囲内の周波数、または、
ｂ）３〜２０μｍの範囲内、好ましくは４〜１８μｍの範囲内、より好ましくは５〜１６μｍの範囲内、より好ましくは６〜１５μｍの範囲内、最も好ましくは６．５〜１３．３μｍの範囲内の振幅、または、
ｃ）これらの両方
を伴って平面複合体に当て付いて振動する。
【００２９】
好ましくは、前記特徴ａ）またはｂ）またはｃ）は第１の固定要素に当てはまる。好ましくは、第１の固定要素がソノトロードである。
【００３０】
本発明に係る方法１の実施形態３は、実施形態１または実施形態２にしたがって構成され、この場合、方法ステップｄ）において、結合は、第１の固定要素または更なる固定要素またはこれらの両方の固定要素から折り曲げ平面複合体への超音波振動の伝達によるシールである。
【００３１】
本発明に係る方法１の実施形態４は実施形態３にしたがって構成され、この場合、超音波振動は、５０〜５００ｍｓの範囲内、好ましくは７０〜４６０ｍｓの範囲内、より好ましくは９０〜４２０ｍｓの範囲内、より好ましくは１１０〜３６０ｍｓの範囲内、より好ましくは１３０〜３２０ｍｓの範囲内、より好ましくは１５０〜２８０ｍｓの範囲内、より好ましくは１６０〜２４０ｍｓの範囲内、最も好ましくは１８０〜２２０ｍｓの範囲内の期間にわたって励起される。
【００３２】
本発明に係る方法１の実施形態５は、先行する実施形態のうちの１つにしたがって構成され、この場合、方法ステップａ）では、折り曲げ平面複合体が容器前駆体であり、方法ステップｄ）では、結合が容器前駆体の閉鎖である。
【００３３】
本発明に係る方法１の実施形態６は実施形態５にしたがって構成され、この場合、方法ステップｃ）の前に容器前駆体内へ食料品が導入される。
【００３４】
本発明に係る方法１の実施形態７は、実施形態５または実施形態６にしたがって構成され、この場合、方法ステップｄ）では密閉容器が得られ、密閉容器は、オートクレーブ滅菌され、または、低温殺菌され、または、これらの両方の滅菌が施される。
【００３５】
本発明に係る方法１の実施形態８は、実施形態５から７のうちの１つにしたがって構成され、この場合、方法ステップｃ）の前に容器前駆体が滅菌される。好ましい滅菌は、気体過酸化水素または液体過酸化水素またはこれらの両方との接触によって行われる。好ましい接触は、ここでは、浸漬、濯ぎ、噴射、あるいは、これらのうちの少なくとも２つの組み合わせから成るグループから選択される１つである。
【００３６】
本発明に係る方法１の実施形態９は、先行する実施形態のうちの１つにしたがって構成され、この場合、方法ステップａ）において、準備する前記ステップは、
ｉ）平面複合体であって、
Ａ）Ｉ）複合キャリア層と、
ＩＩ）複合バリア層と、
を備える層配列と、
Ｂ）縁部領域と、
Ｃ）縁部領域に隣接する内側領域と、
を備える平面複合体を準備するステップと、
ｉｉ）縁部領域で複合キャリア層の層厚を減少させるステップと、
ｉｉｉ）第１の縁部折り曲げ領域と更なる縁部折り曲げ領域とを得るために縁部領域に折り曲げ部を形成するステップであって、第１の縁部折り曲げ領域および更なる縁部折り曲げ領域が折り曲げ部に沿って互いに隣接する、ステップと、
ｉｖ）第１の縁部折り曲げ領域の表面を更なる縁部折り曲げ領域の表面と接触させるステップと、
ｖ）内側領域で更なる折り曲げ部を形成することにより、第１の複合折り曲げ領域および更なる複合折り曲げ領域を得るステップであって、
更なる複合折り曲げ領域が縁部領域と内側領域の一部分とを備える、ステップと、
ｖｉ）第１の複合折り曲げ領域を更なる縁部折り曲げ領域と内側領域の一部分とに結合するステップと、
を備える。
【００３７】
本発明に係る方法１の実施形態１０は実施形態９にしたがって構成され、この場合、方法ステップｉｉ）では、減少が複合キャリア層のスカイブ加工である。
【００３８】
本発明に係る方法１の実施形態１１は実施形態１０にしたがって構成され、この場合、スカイブ加工が回転工具によって行われる。
【００３９】
本発明に係る方法１の実施形態１２は、実施形態９から１１のうちの１つにしたがって構成され、この場合、方法ステップｉ）では、平面複合体が折り目を備え、方法ステップｖ）では、更なる折り曲げ部の形成が折り目に沿う折り曲げを含む。
【００４０】
本発明に係る目的のうちの少なくとも１つを達成するための寄与は、方法の実施形態１から１２のうちの１つに係る方法１により得ることができる密閉容器１の実施形態１によって成される。
【００４１】
本発明に係る目的のうちの少なくとも１つを達成するための寄与は、内部を取り囲む密閉容器２の実施形態１によって成され、この場合、密閉容器が折り曲げ平面複合体を備え、折り曲げ平面複合体は第１の継ぎ目領域と更なる継ぎ目領域とを備え、第１の継ぎ目領域が継ぎ目に沿って更なる継ぎ目領域に結合され、第１の継ぎ目領域または更なる継ぎ目領域またはこれらの両方が継ぎ目に沿って凹陥部を有する。
【００４２】
本発明に係る密閉容器２の実施形態２は、密閉容器２の実施形態１にしたがって構成され、この場合、更なる継ぎ目領域が第１の複合層を備え、第１の継ぎ目領域は、第２の複合層、第３の複合層、第４の複合層、第１の複合領域、および、更なる複合領域を備え、継ぎ目が第１の複合層と第２の複合層との間にあり、第１の複合層が第１のキャリア層を備え、第２の複合層が第２のキャリア層を備え、第３の複合層が第３のキャリア層を備え、第４の複合層が第４のキャリア層を備え、第１の複合領域は第１の層配列を備え、この第１の層配列は、継ぎ目から第１の層配列を通り抜ける方向で互いに重なり合う層として、第２の複合層、第３の複合層、および、第４の複合層を備え、第１の複合領域では、第３の複合層が第４の複合層に結合され、第１の複合領域において、第４のキャリア層は、第２のキャリア層または第３のキャリア層またはこれらの両方のそれぞれよりも大きい層厚によって特徴付けられ、更なる複合領域が更なる層配列を備え、この更なる層配列は、継ぎ目から更なる層配列を通り抜ける方向で互いに重なり合う層として、第２の複合層および第４の複合層を備え、更なる複合領域では、第２の複合層が第４の複合層に結合され、更なる複合領域において、第２のキャリア層は、第１の複合領域における層厚よりも大きい層厚によって特徴付けられ、更なる複合領域が第１の複合領域に隣接する。
【００４３】
本発明に係る密閉容器２の実施形態３は、密閉容器２の実施形態１または実施形態２にしたがって構成され、この場合、折り曲げ平面複合体は全ての側で内部を取り囲み、折り曲げ平面複合体は一体に構成される。
【００４４】
本発明に係る密閉容器２の実施形態４は、密閉容器２の実施形態１から３のうちの１つにしたがって構成され、この場合、折り曲げ平面複合体のキャリア層が穴を備え、穴は、穴被覆層としての折り曲げ平面複合体のバリア層で少なくとも覆われる。好ましくは、穴は開放装置で更に覆われ、開放装置は、穴の領域で密閉容器を開放するように配置される。
【００４５】
本発明に係る目的のうちの少なくとも１つを達成するための寄与は、第１の複合層を第２の複合層に結合するためのその実施形態１から１８のうちの１つに係る装置１の使用１の実施形態１により成される。
【００４６】
本発明に係る装置の構成要素の好ましい実施形態は、本発明に係る方法におけるおよび本発明に係る密閉容器における同じ名称の構成要素または対応する構成要素の実施形態として同様に好ましい。また、本発明に係る方法で使用される構成要素および本発明に係る密閉容器の構成要素の好ましい実施形態は、本発明に係る装置の同じ名称の構成要素または対応する構成要素において同様に好ましい。
【００４７】
層
２つの層は、それらの互いの付着が引力のファンデルワールス力を超える場合に互いに結合される。互いに結合される層は、互いにシールされる層、互いに接着される層、および、互いに加圧される層、または、これらの少なくとも２つの組み合わせから成るグループから選択される１つであることが好ましい。別段に述べられなければ、層配列内で、層は、間接的に、すなわち、１つまたは少なくとも２つの中間層を用いて、あるいは、直接的に、すなわち、中間層を伴うことなく、互いに後続することができる。これは、特に、１つの層が他の層と重なり合うという表現において当てはまる。層配列が挙げられた層を備えるという表現は、少なくとも述べられた層が述べられた配列内に存在することを意味する。この表現は、これらの層が互いに直接的に後続することを必ずしも表さない。２つの層が互いに隣接するという表現は、これらの２つの層が直接的に、したがって中間層を伴うことなく互いに後続することを表す。しかしながら、この表現は、２つの層が互いに結合されるか否かに関しては何ら示唆しない。むしろ、これらの２つの層が互いに接触し得る。
【００４８】
結合
好ましい結合は、シール、接着、および、加圧、または、これらのうちの少なくとも２つの組み合わせから成るグループから選択される１つである。シールの場合には、結合が液体とその凝固とによってもたらされる。接着の場合には、結合をもたらす化学結合が結合されるべき２つの対象物の境界面間または表面間に生じる。シールまたは接着の場合には、シールされるまたは接着されるべき表面が互いに一緒に加圧されることがしばしば有益である。２つの層の好ましい加圧は、２つの層のうちの第１の層の第１の表面の、該第１の表面と対向する２つの層のうちの第２の層の第２の表面に対する、第１の表面の少なくとも２０％、好ましくは少なくとも３０％、より好ましくは少なくとも４０％、より好ましくは少なくとも５０％、より好ましくは少なくとも６０％、より好ましくは少なくとも７０％、更により好ましくは少なくとも８０％、更により好ましくは少なくとも９０％、最も好ましくは少なくとも９５％にわたるいずれの場合にも互いに対する押圧である。特に、好ましい結合はシールである。好ましいシールは、互いの上に層状に重ね合わせるステップと、加熱するステップと、加圧するステップとを備え、これらのステップは好ましくはこの順序で行われる。他の順序、特に、加熱し、互いの上に層状に重ね合わせ、および、加圧する順序も同様に考えられる。好ましい加熱は、高分子層、好ましくは熱可塑性層、より好ましくはポリエチレン層またはポリプロピレン層またはこれらの両方の加熱である。更なる好ましい加熱は、８０〜１４０℃の範囲内、より好ましくは９０〜１３０℃の範囲内、最も好ましくは１００〜１２０℃の範囲内の温度までのポリエチレン層の加熱である。更なる好ましい加熱は、１２０〜２００℃の範囲内、より好ましくは１３０〜１８０℃の範囲内、最も好ましくは１４０〜１７０℃の範囲内の温度までのポリプロピレン層の加熱である。更なる好ましい加熱は、高分子層のシール温度まで行われる。好ましい加熱は、放射線によって、高温ガスによって、固体との熱的な接触によって、機械的な振動によって、好ましくは超音波によって、対流によって、または、これらの手段のうちの少なくとも２つの組み合わせによって行われ得る。特に好ましい加熱は、超音波振動の励起によって行われる。
【００４９】
接触
好ましい接触は、互いに加圧することである。
【００５０】
最上層
好ましい最上層は「コート」である。製紙における「コート」は、無機固体粒子、好ましくは顔料および添加剤を含有する最上層である。「コート」は、液相として、好ましくは懸濁液または分散液として、紙またはボール紙を含む層の表面に塗布されることが好ましい。好ましい分散液は水分散液である。好ましい懸濁液は水懸濁液である。更なる好ましい液相は、無機固体粒子、好ましくは顔料、結合剤、および、添加剤を含有する。好ましい顔料は、炭酸カルシウム、カオリン、タルク、ケイ酸塩、プラスチック顔料、および、二酸化チタンから成るグループから選択される。好ましいカオリンは焼成カオリンである。好ましい炭酸カルシウムは、大理石、白亜、および、沈降炭酸カルシウム（ＰＣＣ）、または、これらのうちの少なくとも２つの組み合わせから成るグループから選択される１つである。好ましいケイ酸塩は積層ケイ酸塩である。好ましいプラスチック顔料は、ビーズの形態、好ましくは中空ビーズの形態を成す。好ましい結合剤は、スチレン／ブタジエン、アクリレート、アクリロニトリル、澱粉、および、ポリビニルアルコール、または、これらのうちの少なくとも２つの組み合わせから成るグループから選択される１つであり、アクリレートが好ましい。好ましい澱粉は、カチオン改質された澱粉、アニオン改質された澱粉、および、断片化された澱粉、または、これらのうちの少なくとも２つの組み合わせから成るグループから選択される１つである。好ましい添加剤は、レオロジー改質剤、ニュアンス染料、蛍光増白剤、蛍光増白剤用の担持体、凝集剤、脱気剤、および、表面エネルギー改質剤、または、これらのうちの少なくとも２つの組み合わせから成るグループから選択される１つである。好ましい脱気剤は、好ましくはシリコンに基づくまたは脂肪酸に基づくまたはこれらの両方に基づくブラシ塗装脱気剤である。好ましい表面エネルギー改質剤は界面活性剤である。
【００５１】
キャリア層
キャリア層として、当業者にとってこの目的に適した任意の材料であって、本発明に係る容器または本発明に係る平面複合体から形成される容器に対して該容器が充填状態でその形状をほぼ保つ程度まで安定性を与えるのに適した強度および剛性を有する任意の材料を使用できる。多くのプラスチック、植物性繊維状物質、特にセルロースに加えて、好ましく寸法付けられて、漂白された、および／または、漂白されないセルロースが好ましく、紙またはボール紙が特に好ましい。キャリア層、好ましくは各キャリア層の単位面積当たりの重量は、好ましくは１２０〜４５０ｇ／ｍ２の範囲内、特に好ましくは１３０〜４００ｇ／ｍ２の範囲内、最も好ましくは１５０〜３８０ｇ／ｍ２の範囲内である。好ましいボール紙は、一般に、単層構造または多層構造を有するとともに、一方側または両側が１つまたは複数の最上層でコーティングされ得る。好ましいボール紙は、該ボール紙の総重量に基づき、２０ｗｔ．％未満、好ましくは２〜１５ｗｔ．％、特に好ましくは４〜１０ｗｔ．％の残留含水率を更に有する。特に好ましいボール紙は多層構造を有する。ボール紙は、環境に面する表面上に「コート」として当業者に知られる最上層の少なくとも１つの層、しかし特に好ましくは少なくとも２つの層を更に有することが好ましい。好ましいボール紙は、１００〜３６０Ｊ／ｍ２の範囲内、好ましくは１２０〜３５０Ｊ／ｍ２の範囲内、特に好ましくは１３５〜３１０Ｊ／ｍ２の範囲内のスコットボンド値を更に有することが好ましい。前述した範囲により、漏れ止め性が高い容器へと容易にかつ低い公差で折り曲げることができる複合体を提供できる。好ましいキャリア層は、少なくとも一方の表面上に、好ましくは２つの両側の表面上に、いずれの場合にも最上層を備える。好ましくは、各キャリア層は、各表面上に、これが明確に排除されなければ、最上層を備える。最も好ましくは、各キャリア層は、随意的に存在する１つのスカイブ加工された表面上にのみ最上層を備えない。好ましくは、第１のキャリア層および第２のキャリア層が一体で構成される。より好ましくは、第１のキャリア層および第２のキャリア層および第３のキャリア層が一体に構成される。更により好ましくは、第１のキャリア層および第２のキャリア層および第３のキャリア層および第４のキャリア層が一体に構成される。最も好ましくは、全てのキャリア層が一体に構成される。
【００５２】
バリア層
バリア層として、当業者にとってこの目的に適した任意の材料であって、特に酸素に抗する適切なバリア作用を有する任意の材料を使用できる。バリア層は、
ａ．プラスチックのバリア層
ｂ．金属層
ｃ．金属酸化物層
ｄ．ａ〜ｃのうちの少なくとも２つの組み合わせ
から選択されることが好ましい。
【００５３】
選択肢ａ．に係るバリア層がプラスチックのバリア層であれば、この層は、特に容器を包装するのに適した芳香特性またはガスバリア特性に起因して、この目的のために当業者に知られる少なくとも７０ｗｔ．％、特に好ましくは少なくとも８０ｗｔ．％、最も好ましくは少なくとも９５ｗｔ．％の少なくとも１つのプラスチックを備えることが好ましい。特に熱可塑性の想定し得るプラスチックは、ここでは、単独および２つ以上の混合物のいずれにおいてもＮ−担持プラスチックまたはＯ−担持プラスチックである。本発明によれば、１５５℃を超えて３００℃までの範囲内、好ましくは１６０〜２８０℃の範囲内、特に好ましくは１７０〜２７０℃の範囲内の融解温度をプラスチックのバリア層が有すれば有利であるのが分かる。
【００５４】
更に好ましくは、プラスチックのバリア層は、２〜１２０ｇ／ｍ２の範囲内、好ましくは３〜６０ｇ／ｍ２の範囲内、特に好ましくは４〜４０ｇ／ｍ２の範囲内、更に好ましくは６〜３０ｇ／ｍ２の範囲内の単位面積当たりの重量を有する。更に好ましくは、プラスチックのバリア層は、例えば押し出し成形、特にラミネート押し出し成形によって、溶解物から得ることができる。より好ましくは、プラスチックのバリア層を積層によって平面複合体中へ導入することもできる。ここでは、平面複合体中にフィルムを組み込むことが好ましい。他の実施形態によれば、プラスチックの溶液または分散液から蒸着によって得ることができるプラスチックのバリア層を選択することもできる。
【００５５】
想定し得る適した高分子は、好ましくは、光散乱を用いてゲル浸透クロマトグラフィー（ＧＰＣ）によって決定される３・１０７〜１・１０７ｇ／ｍｏｌの範囲内、好ましくは５・１０３〜１・１０６ｇ／ｍｏｌの範囲内、特に好ましくは６・１０３〜１・１０５ｇ／ｍｏｌの範囲内の重量平均分子量を有する高分子である。想定し得る適した高分子は、特に、ポリアミド（ＰＡ）またはポリエチレンビニルアルコール（ＥＶＯＨ）またはこれらの混合物である。
【００５６】
ポリアミドのうち、本発明に係る使用に適していると当業者に思われる全てのＰＡが想定し得る。ＰＡ６、ＰＡ６．６、ＰＡ６．１０、ＰＡ６．１２、ＰＡ１１、または、ＰＡ１２、あるいは、これらのうちの少なくとも２つの混合物がここでは特に挙げられるべきであり、ＰＡ６およびＰＡ６．６が特に好ましく、ＰＡ６が更に好ましい。ＰＡ６は、例えばＡｋｕｌｏｎ（登録商標）、Ｄｕｒｅｔｈａｎ（登録商標）、および、Ｕｌｔｒａｍｉｄ（登録商標）の商標名下で商業的に得ることができる。ＭＸＤ６、Ｇｒｉｖｏｒｙ（登録商標）、および、Ｓｅｌａｒ（登録商標）などの非晶質ポリアミドが更に適している。１．０１〜１．４０ｇ／ｃｍ３の範囲内、好ましくは１．０５〜１．３０ｇ／ｃｍ３の範囲内、および、特に好ましくは１．０８〜１．２５ｇ／ｃｍ３の範囲内の密度をＰＡが有することが更に好ましい。更に、１３０〜１８５ｍｌ／ｇの範囲内、好ましくは１４０〜１８０ｍｌ／ｇの範囲内の粘度数をＰＡが有することが好ましい。
【００５７】
ＥＶＯＨとして、本発明に係る使用に適していると当業者に思われる全てのＥＶＯＨが想定し得る。これらの例は、とりわけ、ベルギーのＥＶＡＬ  Ｅｕｒｏｐｅ  ＮＶが提供している商標名ＥＶＡＬ（商標）により多数の異なる形態で、例えばタイプＥＶＡＬ（商標）  Ｆ１０４ＢまたはＥＶＡＬ（商標）  ＬＲ１７１Ｂを商業的に入手できる。好ましいＥＶＯＨは、以下の特性のうちの少なくとも１つ、２つ、幾つか、または、全てを有する。
−  ２０〜６０ｍｏｌ％の範囲内、好ましくは２５〜４５ｍｏｌ％の範囲内のエチレン含有量；
−  １．０〜１．４ｇ／ｃｍ３の範囲内、好ましくは１．１〜１．３ｇ／ｃｍ３の範囲内の密度；
−  １５５℃を超えて２３５℃までの範囲内、好ましくは１６５〜２２５℃の範囲内の融点；
−  １〜２５ｇ／１０分の範囲内、好ましくは２〜２０ｇ／１０分の範囲内のＭＦＲ値（ＴＭ（ＥＶＯＨ）＜２３０℃の場合には２１０℃／２．１６ｋｇ；２１０℃＜ＴＭ（ＥＶＯＨ）＜２３０℃の場合には２３０℃／２．１６ｋｇ）；
−  ０．０５〜３．２ｃｍ３・２０μｍ／ｍ２・ｄａｙ・ａｔｍの範囲内、好ましくは０．１〜１ｃｍ３・２０μｍ／ｍ２・ｄａｙ・ａｔｍの範囲内の酸素透過率。
【００５８】
選択肢ｂ．によれば、バリア層が金属層である。当業者に知られかつ光および酸素に対する高い不透過性をもたらすことができる金属を伴う全ての層が原理的に金属層として適している。好ましい実施形態によれば、金属層は、例えば物理気相蒸着により形成される箔としてまたは堆積層として存在し得る。金属層は途切れない層であることが好ましい。更なる好ましい実施形態によれば、金属層は、３〜２０μｍの範囲内、好ましくは３．５〜１２μｍの範囲内、特に好ましくは４〜１０μｍの範囲内の厚さを有する。
【００５９】
選択されることが好ましい金属は、アルミニウム、鉄、または、銅である。例えば箔の形態を成す鋼層が鉄層として好ましいことがある。金属層はアルミニウムを伴う層であることが更に好ましい。アルミニウム層は、アルミニウム合金、例えばＡｌＦｅＭｎ、ＡｌＦｅ１．５Ｍｎ、ＡｌＦｅＳｉ、または、ＡｌＦｅＳｉＭｎから都合良く形成できる。純度は、従来のように、いずれの場合にも全アルミニウム層に基づき、９７．５％以上、好ましくは９８．５％以上である。特定の実施形態では、金属層がアルミニウム箔から形成される。適したアルミニウム箔は、１％を上回る、好ましくは１．３％を上回る、特に好ましくは１．５％を上回る延性と、３０Ｎ／ｍｍ２を上回る、好ましくは４０Ｎ／ｍｍ２を上回る、特に好ましくは５０Ｎ／ｍｍ２を上回る引張強度とを有する。適したアルミニウム箔は、ピペット試験において３ｍｍを超える、好ましくは４ｍｍを超える、特に好ましくは５ｍｍを超える滴径を示す。アルミニウム層または箔を形成するのに適した合金は、Ｈｙｄｒｏ  Ａｌｕｍｉｎｉｕｍ  Ｄｅｕｔｓｃｈｌａｎｄ  ＧｍｂＨまたはＡｍｃｏｒ  Ｆｌｅｘｉｂｌｅｓ  Ｓｉｎｇｅｎ  ＧｍｂＨが提供しているＥＮ  ＡＷ  １２００、ＥＮ  ＡＷ  ８０７９、または、ＥＮ  ＡＷ  ８１１１の称号下で商業的に入手できる。
【００６０】
バリア層としての金属箔の場合には、金属箔の一方側および／または両側で金属箔と次の高分子層との間に接着促進剤層を設けることができる。しかしながら、本発明に係る容器の特定の実施形態によれば、接着促進剤層は、金属箔のどの側にも金属箔と次の高分子層との間に設けられない。
【００６１】
更に好ましくは、金属酸化物層を選択肢ｃ．に係るバリア層として選択することができる。想定し得る金属酸化物層は、光、蒸気、および／または、ガスに抗するバリア作用を達成するために当業者に適していると思われる良く知られた全ての金属酸化物層である。先に既に言及した金属アルミニウム、鉄、または、銅に基づく金属酸化物層、および、チタンまたはシリコン酸化物化合物に基づく金属酸化物層が特に好ましい。金属酸化物層は、一例として、プラスチックの層上に、例えば配向ポリプロピレンフィルム上に金属酸化物を蒸着することによって形成される。このための好ましいプロセスは物理気相蒸着である。
【００６２】
更なる好ましい実施形態によれば、金属層または金属酸化物層は、金属層を伴うプラスチックの１つ以上の層の積層複合体として存在し得る。そのような層は、例えば、プラスチックの層上、例えば配向ポリプロピレンフィルム上に金属を蒸着することによって得ることができる。このための好ましいプロセスは物理気相蒸着である。
【００６３】
好ましくは、第１のバリア層および第２のバリア層が一体に構成される。より好ましくは、第１のバリア層および第２のバリア層および第３のバリア層が一体に構成される。更により好ましくは、第１のバリア層および第２のバリア層および第３のバリア層および第４のバリア層が一体に構成される。最も好ましくは、全てのバリア層が一体に構成される。
【００６４】
高分子層
好ましくは、いずれの場合にも、高分子層は、第１のキャリア層と第１のバリア層との間に、同様に好ましくは第２のキャリア層と第２のバリア層との間に、同様に好ましくは第３のキャリア層と第３のバリア層との間に、同様に好ましくは第４のキャリア層と第４のバリア層との間に位置される。更に好ましくは、第１のバリア層は、第１のキャリア層から離れる方向を向く一方側で、高分子層によって重ね合わされ、好ましくは高分子層に結合される。更に好ましくは、第２のバリア層は、第２のキャリア層から離れる方向を向く一方側で、高分子層によって重ね合わされ、好ましくは高分子層に結合される。更に好ましくは、第３のバリア層は、第３のキャリア層から離れる方向を向く一方側で、高分子層によって重ね合わされ、好ましくは高分子層に結合される。更に好ましくは、第４のバリア層は、第４のキャリア層から離れる方向を向く一方側で、高分子層によって重ね合わされ、好ましくは高分子層に結合される。更に好ましくは、第１のキャリア層は、第１のバリア層から離れる方向を向く一方側で、高分子層によって重ね合わされ、好ましくは高分子層に結合される。更に好ましくは、第２のキャリア層は、第２のバリア層から離れる方向を向く一方側で、高分子層によって重ね合わされ、好ましくは高分子層に結合され、この場合、第２のキャリア層は、好ましくは、第２の複合領域では、第２のバリア層から離れる方向を向く側で、高分子層に結合されず、高分子層によって重ね合わされない。更に好ましくは、第３のキャリア層は、第３のバリア層から離れる方向を向く一方側で、高分子層によって重ね合わされ、好ましくは高分子層に結合され、この場合、第３のキャリア層は、好ましくは、第１の複合領域、第２の複合領域、および、第３の複合領域では、第３のバリア層から離れる方向を向く側で、高分子層に結合されず、高分子層によって重ね合わされない。更に好ましくは、第４のキャリア層は、第４のバリア層から離れる方向を向く一方側で、高分子層によって重ね合わされ、好ましくは高分子層に結合される。
【００６５】
各高分子層は更なる構成要素を有することができる。これらの高分子層は、押し出しプロセスで層配列中に組み込まれるまたは加えられることが好ましい。高分子層の更なる構成要素は、層として加える最中に高分子溶解物の特性に悪影響を与えない構成要素であることが好ましい。更なる構成要素は、例えば、金属塩などの無機化合物、または、更なる熱可塑性物質などの更なるプラスチックであってもよい。しかしながら、更なる構成要素が充填材または顔料、例えばカーボンブラックまたは金属酸化物であることも考えられる。更なる構成要素に適した想定し得る熱可塑性物質は、特に、良好な押し出し特性に起因して容易に処理され得る熱可塑性物質である。これらのうち、連鎖重合により得られる高分子、特にポリエステルまたはポリオレフィンが適しており、この場合、環状オレフィン共重合体（ＣＯＣ）、多環式オレフィン共重合体（ＰＯＣ）、特にポリエチレンおよびポリプロピレンが特に好ましく、また、ポリエチレンが非常に特に好ましい。ポリエチレンのうちで、ＨＤＰＥ、ＭＤＰＥ、ＬＤＰＥ、ＬＬＤＰＥ、ＶＬＤＰＥ、および、ＰＥ、ならびに、これらのうちの少なくとも２つの混合物が好ましい。少なくとも２つの熱可塑性物質の混合物も使用できる。適した高分子層は、１〜２５ｇ／１０分の範囲内、好ましくは２〜２０ｇ／１０分の範囲内、特に好ましくは２．５〜１５ｇ／１０分の範囲内のメルトフローレート（ＭＦＲ）と、０．８９０ｇ／ｃｍ３〜０．９８０ｇ／ｃｍ３の範囲内、好ましくは０．８９５ｇ／ｃｍ３〜０．９７５ｇ／ｃｍ３の範囲内、および、更に好ましくは０．９００ｇ／ｃｍ３〜０．９７０ｇ／ｃｍ３の範囲内の密度とを有する。高分子層は、８０〜１５５℃の範囲内、好ましくは９０〜１４５℃の範囲内、特に好ましくは９５〜１３５℃の範囲内の少なくとも１つの融解温度を有することが好ましい。好ましい高分子層は、ポリオレフィン層、好ましくはポリエチレン層、または、ポリプロピレン層、または、これらの両方である。
【００６６】
ポリオレフィン
好ましいポリオレフィンは、ポリエチレンまたはポリプロピレンまたはこれらの両方である。好ましいポリエチレンは、ＬＤＰＥ、ＬＬＤＰＥ、および、ＨＤＰＥ、または、これらのうちの少なくとも２つの組み合わせから成るグループから選択される１つである。好ましいポリオレフィンはｍ−ポリオレフィンである。適したポリエチレンは、１〜２５ｇ／１０分の範囲内、好ましくは２〜２０ｇ／１０分の範囲内、特に好ましくは２．５〜１５ｇ／１０分の範囲内のメルトフローレート（ＭＦＲ）と、０．９１０ｇ／ｃｍ３〜０．９３５ｇ／ｃｍ３の範囲内、好ましくは０．９１２ｇ／ｃｍ３〜０．９３２ｇ／ｃｍ３の範囲内、および、更に好ましくは０．９１５ｇ／ｃｍ３〜０．９３０ｇ／ｃｍ３の範囲内の密度とを有する。
【００６７】
ｍ−ポリオレフィン
ｍ−ポリオレフィンは、メタロセン触媒を用いて生成されたポリオレフィンである。メタロセンは、中心金属原子が例えばシクロペンタジエニル配位子などの２つの有機配位子間に配置される有機金属化合物である。好ましいｍ−ポリオレフィンは、ｍ−ポリエチレンまたはｍ−ポリプロピレンまたはこれらの両方である。好ましいｍ−ポリエチレンは、ｍＬＤＰＥ、ｍＬＬＤＰＥ、および、ｍＨＤＰＥ、または、これらのうちの少なくとも２つの組み合わせから成るグループから選択される１つである。
【００６８】
融解温度
好ましいｍ−ポリオレフィンは、少なくとも第１の融解温度および第２の融解温度によって特徴付けられる。好ましくは、ｍ−ポリオレフィンは、第１および第２の融解温度に加えて第３の融解温度によって特徴付けられる。好ましい第１の融解温度は、８４〜１０８℃の範囲内、好ましくは８９〜１０３℃の範囲内、より好ましくは９４〜９８℃の範囲内である。好ましい更なる融解温度は、１００〜１２４℃の範囲内、好ましくは１０５〜１１９℃の範囲内、より好ましくは１１０〜１１４℃の範囲内である。
【００６９】
接着／接着促進剤層
接着促進剤層は、互いに直接に隣接しない平面複合体の層間に位置され得る。特に、いずれの場合にも、接着促進剤層は、それぞれのｎ番目のバリア層と、ｎ番目のキャリア層から離れる方向を向く一方側でｎ番目のバリア層と重なり合う高分子層との間に位置され得る。この場合、ｎは、１〜４の範囲の整数である。
【００７０】
接着促進剤層中の想定し得る接着促進剤は、適切な官能基を用いた官能化に起因して、特定の隣接する層の表面に対するイオン結合または共有結合の形成による強固な結合を生み出すのに適する、全てのプラスチックである。好ましくは、これらの接着促進剤は、アクリル酸、メタクリル酸、クロトン酸、アクリレート、アクリレート誘導体、または、二重結合を伴うカルボキシル酸無水物、例えば無水マレイン酸、または、これらのうちの少なくとも２つなど、エチレンとアクリル酸との共重合により得られた官能化ポリオレフィンである。これらのうち、例えばＤｕＰｏｎｔにより商標名Ｂｙｎｅｌ（登録商標）およびＮｕｃｒｅｌ（登録商標）０６０９ＨＳＡの下で市販されるあるいはＥｘｘｏｎＭｏｂｉｌ  Ｃｈｅｍｉｃａｌｓにより商標名Ｅｓｃｏｒ（登録商標）６０００ＥｘＣｏの下で市販される、ポリエチレン−無水マレイン酸グラフト重合体（ＥＭＡＨ）、エチレン／アクリル酸（ＥＡＡ）共重合体、または、エチレン／メタクリル酸共重合体（ＥＭＡＡ）が好ましい。
【００７１】
本発明によれば、キャリア層、高分子層、または、バリア層と特定の次の層との間の密着力が少なくとも０．５Ｎ／１５ｍｍ、好ましくは少なくとも０．７Ｎ／１５ｍｍ、特に好ましくは少なくとも０．８Ｎ／１５ｍｍであることが好ましい。本発明に係る１つの実施形態では、高分子層とキャリア層との間の密着力が少なくとも０．３Ｎ／１５ｍｍ、好ましくは少なくとも０．５Ｎ／１５ｍｍ、特に好ましくは少なくとも０．７Ｎ／１５ｍｍであることが好ましい。バリア層と高分子層との間の密着力が少なくとも０．８Ｎ／１５ｍｍ、好ましくは少なくとも１．０Ｎ／１５ｍｍ、特に好ましくは少なくとも１．４Ｎ／１５ｍｍであることが更に好ましい。バリア層が接着促進剤層を介して間接的に高分子層に後続する場合には、バリア層と接着促進剤層との間の密着力が少なくとも１．８Ｎ／１５ｍｍ、好ましくは少なくとも２．２Ｎ／１５ｍｍ、特に好ましくは少なくとも２．８Ｎ／１５ｍｍであることが好ましい。特定の実施形態では、個々の層間の密着力が構造的に非常に強いため、キャリア層を引き裂く接着試験では、また、キャリア層としてボール紙の場合には、いわゆるボール紙繊維の引き裂きが生じる。
【００７２】
一体的
２つの層は、これらの２つの層が中間層を伴うことなくかつ結合要素を伴うことなく互いに隣接して互いへと移行する移行領域が存在する場合には、一体に構成される。好ましい移行領域は折り曲げ領域である。折り曲げ領域は折り曲げ部を備える。好ましい折り曲げ部は折り目に沿って延びる。一体に構成される層は、好ましくは原材料から一体品として一緒に製造されてしまっており、この製造後に互いに結合されない。一体に構成される層は、好ましくは、同じ組成または同じ積層またはこれらの両方を有する。本発明の１つの実施形態では、複合体の少なくとも１つの層、好ましくは全ての層がいずれの場合にもそのような一体品として構成されることが好ましい。異なる複合領域の同じ名称の層がいずれの場合にもこれらの異なる複合領域のうちの少なくとも２つを介してそのような一体品として構成されることが同様に好ましい。
【００７３】
容器前駆体
好ましい容器前駆体はジャケットまたは管状またはこれらの両方の形態を成す。ジャケトの形態を成す容器前駆体は、その外表面が幾何学的なジャケット表面に対応するという点において特徴付けられることが好ましい。管状の容器前駆体は、いずれの場合にもチューブの両端に開口を有する半連続的なチューブ構造であることが好ましい。
【００７４】
容器
本発明に係る密閉容器は、多数の異なる形状を有することができるが、略平行六面体構造が好ましい。容器は、その表面全体にわたって平面複合体から更に形成され得る、あるいは、２部品構造または多部品構造を有することができる。多部品構造の場合、平面複合体に加えて、他の材料、例えば特に容器の頭部領域または底部領域で使用され得るプラスチック材料を使用することもできることが考えられる。しかしながら、ここでは、容器が表面の少なくとも５０％の範囲まで、特に好ましくは少なくとも７０％の範囲まで、より好ましくは少なくとも９０％の範囲まで平面複合体から形成されることが好ましい。また、容器は、内容物を空にするための装置を有することができる。これは、例えば、プラスチック材料から形成されて、容器の外側に取り付けられ得る。また、この装置が直接射出成形によって容器に組み込まれることも考えられる。好ましい実施形態によれば、本発明に係る容器は、少なくとも１つ、好ましくは４〜２２個またはそれ以上の縁部、特に好ましくは７〜１２個の縁部を有する。本発明との関連で、縁部は、表面を折り曲げる際に形成される領域を意味するように理解される。一例として言及される場合がある縁部は、いずれの場合にも容器の２つの壁表面の縦方向接触領域である。容器において、容器壁は、縁部により取り囲まれる容器の表面に相当することが好ましい。好ましくは、密閉容器は、平面複合体と一体に構成されない底部を備えない、または、平面複合体と一体に構成されない蓋を備えない、または、これらの両方である。
【００７５】
スカイブ加工
スカイブ加工は、層、好ましくはキャリア層、より好ましくはボール紙、厚紙、および、紙、または、これらのうちの少なくとも２つの組み合わせから成るグループから選択される１つのキャリア層の層厚を減少させるための当業者に知られる方法ステップである。スカイブ加工は、材料除去工具を用いて、好ましくはスカイブ加工工具または分離工具またはこれらの両方を用いて行われることが好ましい。好ましい材料除去工具は回転工具である。最も好ましい回転工具は、ブレード、好ましくはカップブレードまたは切削工具またはこれらの両方である。更なる好ましい材料除去工具は、ブレード、好ましくは回転ブレード、最も好ましくはカップブレードまたは切削工具またはこれらの両方である。
【００７６】
平面複合体の折り曲げ
１０〜５０℃の温度範囲内で、好ましくは１５〜４５℃の範囲内で、特に好ましくは２０〜４０℃の範囲内で平面複合体の折り曲げ領域の折り曲げが実施されることが好ましい。これは、上記範囲内の温度を有する平面複合体によって達成され得る。また、好ましくは平面複合体と共に、折り曲げ工具が上記範囲内の温度を有することが更に好ましい。このため、折り曲げ工具は加熱を有さない。むしろ、折り曲げ工具または平面複合体もまたはこれらの両方を冷却できる。更に、最大５０℃で「冷間折り曲げ」として折り曲げを実施すること、および、５０℃を上回る温度で、好ましくは８０℃を上回る温度で、特に好ましくは１２０℃を上回る温度で「ヒートシール」として結合を実施することが好ましい。上記条件、特に温度は、折り曲げ環境内でも、例えば折り曲げ工具のハウジング内でも適用されることが好ましい。冷間折り曲げまたはヒートシールと組み合わせた冷間折り曲げは、１００°未満、好ましくは９０°未満、特に好ましくは７０°未満、更に好ましくは５０°未満の折り曲げ中に成す角度μで適用されることが更に好ましい。角度μは、２つの隣接する折り曲げ表面によって形成される。
【００７７】
本発明によれば、この文脈において、「折り曲げ」は、好ましくは所定の角度を成す縦方向キンクが折り曲げ工具の折り曲げ縁部により折り曲げ平面複合体にもたらされる工程を意味するように理解される。このため、平面複合体の２つの隣接する表面は、しばしば、互いの方へと更に一層曲げられる。折り曲げにより、少なくとも２つの隣接する折り曲げ表面が形成され、これらの折り曲げ表面は、その後、容器領域を形成するために少なくとも部分領域で結合され得る。本発明によれば、結合は、当業者に適していると思われる任意の手段であって、可能な限り気密または液密である結合を可能ならしめる任意の手段によって実施され得る。
【００７８】
また、折り曲げ表面が９０°未満、好ましくは４５°未満、特に好ましくは２０°未満の角度μを成すことが更に好ましい。折り曲げ表面は、しばしば、これらの表面が折り曲げの終わりに互いの上に位置するようになる程度まで折り曲げられる。これは、特に、容器底部としばしばゲーブル状にまたは平坦に構成される容器頭部とを形成するために互いの上に位置する折り曲げ表面がその後に互いに結合される場合に有利である。ゲーブル形態に関しては、一例として国際公開第９０／０９９２６号パンフレットが参照されてもよい。
【００７９】
縦方向継ぎ目
好ましくは、第１の複合領域および更なる複合領域が容器前駆体のまたは密閉容器の縦方向継ぎ目に属する。好ましくは、第１の複合領域および更なる複合領域は、容器前駆体のまたは密閉容器の縦方向継ぎ目を形成する。好ましくは、本発明に係る装置は、容器前駆体をシールによって閉じることができるように構成され、シールは、容器前駆体の縦方向継ぎ目を介して好ましくは横方向に実施される。シール中、縦方向継ぎ目の厚肉側は、本発明によれば、凹部内になく、正確には凹部の反対側の他方の固定面に隣接する。
【００８０】
食料品
想定し得る食料品は、人が消費できる全ての食料品、および、当業者に知られる動物の飼料である。好ましい食料品は、５℃を上回る液体、例えば乳製品、スープ、ソース、および、非炭酸飲料である。容器または容器前駆体の充填は様々な方法で行うことができる。一方では、充填前に、Ｈ２Ｏ２、ＵＶ放射線、または、他の適した高エネルギー放射線を用いた容器または容器前駆体の処理、プラズマ処理、あるいは、これらのうちの少なくとも２つの組み合わせ、ならびに、食料品の加熱など、適切な手段により可能な最大度合いまで食料品および容器または容器前駆体を別々に滅菌でき、その後、容器または容器前駆体が充填される。このタイプの充填は、しばしば、「無菌充填」と呼ばれ、本発明によれば好ましい。無菌充填に加えてあるいはまた代えて、更に、食料品が充填されて閉じられてしまった容器または容器前駆体を加熱して、細菌数を減らすことが広く知られた手順である。これは低温殺菌またはオートクレーブ滅菌によって行われることが好ましい。この手順では、殆ど滅菌していない食料品および容器または容器前駆体も使用できる。
【００８１】
穴／開放補助体
本発明に係る密閉容器の開放の容易さを促進させるために、キャリア層は少なくとも１つの穴を有することができる。特定の実施形態において、穴は、少なくともバリア層および好ましくは穴被覆層としての高分子層で覆われる。更に、１つ以上の更なる層、特に接着促進剤層を既に言及された層間に設けることができる。ここでは、穴被覆層が、穴により形成される面積の少なくとも３０％、好ましくは少なくとも７０％程度まで、特に好ましくは少なくとも９０％の程度まで少なくとも部分的に互いに結合されることが好ましい。特定の実施形態によれば、穴が平面複合体全体を突き抜けて貫通するとともに穴を閉じる開閉装置により覆われることが好ましい。好ましい実施形態に関連して、キャリア層に設けられる穴は、当業者に知られるとともに様々な閉鎖体、飲料ストロー、または、開放補助体に適した任意の形状を有することができる。密閉容器の開放は、通常、穴を覆う穴被覆層の少なくとも部分的な破壊によって行われる。この破壊は、切断、容器への押し込み、または、容器からの引き出しによって行うことができる。破壊は、容器に結合されて、穴の領域内に、通常は穴よりも上側に配置される開放可能な閉鎖体によって、または、穴を覆う穴被覆層に押し通される飲料ストローによって行うことができる。
【００８２】
更なる好ましい実施形態によれば、平面複合体のキャリア層は、ミシン目の形態を成す複数の穴を有し、この場合、個々の穴は、少なくともバリア層および好ましくは穴被覆層としての高分子層で覆われる。そのような複合体から製造される容器は、その後、ミシン目に沿って引き裂くことによって開放され得る。ミシン目のためのそのような穴は、レーザを用いて形成されることが好ましい。レーザビームの使用は、金属箔または金属化フィルムがバリア層として用いられる場合に特に好ましい。ミシン目が通常はブレードを有する機械的な穿孔工具によってもたらされることが更に想定し得る。
【００８３】
更なる好ましい実施形態によれば、平面複合体は、少なくとも１つの穴の領域で少なくとも、熱処理に晒される。幾つかの穴がミシン目の形態でキャリア層に存在する場合には、この熱処理が穴の縁領域の周囲でも行われることが特に好ましい。熱処理は、放射線によって、高温ガスによって、固体との熱的な接触によって、機械的な振動によって、好ましくは超音波によって、または、これらの手段のうちの少なくとも２つの組み合わせによって行われ得る。特に好ましくは、熱処理は、照射、好ましくは電磁放射、特に好ましくは電磁誘導によって、または、高温ガスによっても行われる。選択されるべき特定の最適な動作パラメータは当業者に知られている。
【００８４】
照射
照射の場合、存在する高分子層を軟化させるために当業者に適した任意のタイプの放射線が想定し得る。好ましいタイプの放射線は、ＩＲ放射線、ＵＶ放射線、および、マイクロ波である。平面複合体のＩＲ溶着のためにも使用されるＩＲ放射線の場合には、０．７〜５μｍの波長範囲を挙げることができる。更に、０．６〜１．６μｍ未満の波長範囲でレーザビームを使用できる。ＩＲ放射線の使用に関連して、これらは、当業者に知られる様々な適した放射線放射体によってもたらされる。１〜１．６μｍの範囲の短波長放射線放射体はハロゲン放射線放射体であることが好ましい。＞１．６〜３．５μｍの範囲の中波長放射線放射体は例えば金属箔放射線放射体である。石英放射線放射体が３．５μｍを超える範囲の長波長放射線放射体としてしばしば使用される。レーザがこれまで以上にしばしば使用される。したがって、０．８〜１μｍの波長範囲でダイオードレーザが使用され、約１μｍでＮｄ：ＹＡＧレーザが使用され、約１０．６μｍでＣＯ２レーザが使用される。０．１〜１００ｋＷの電力範囲でしばしば１０〜４５ＭＨｚの周波数範囲を用いる高周波技術も使用される。
【００８５】
超音波
超音波の場合、以下の処理パラメータが好ましい。
Ｐ１  ５〜１００ｋＨｚの範囲内、好ましくは１０〜５０ｋＨｚの範囲内、特に好ましくは１５〜４０ｋＨｚの範囲内の周波数；
Ｐ２  ２〜１００μｍの範囲内、好ましくは５〜７０μｍの範囲内、特に好ましくは１０〜５０μｍの範囲内の振幅；
Ｐ３  ５０〜１０００ｍｓの範囲内、好ましくは１００〜６００ｍｓの範囲内、特に好ましくは１５０〜３００ｍｓの範囲内の振動時間（ソノトロードまたは誘導体などの振動体が接触振動で平面複合体に作用する期間として）。
【００８６】
放射条件または振動条件の適切な選択のため、プラスチックの固有共振を考慮に入れてこれらに近い周波数を選択することが有益である。
【００８７】
固体との接触
固体との接触による加熱は、例えば、平面複合体と直接に接触して熱を平面複合体に対して解放する加熱プレートまたは加熱モールドによって行うことができる。
【００８８】
高温ガス
適切なファン、出口、または、ノズル、あるいは、これらの組み合わせによって高温ガス、好ましくは熱風を平面複合体へと方向付けることができる。接触加熱および高温ガスはしばしば同時に用いられる。したがって、例えば、平面複合体から形成されるチューブを保持するとともに高温ガスを流通させることにより加熱されて適切な開口を通じて高温ガスを解放する保持装置が、該保持装置の壁との接触と高温ガスとによって平面複合体を加熱できる。更に、チューブホルダを用いてチューブを固定するとともに、ジャケットホルダに設けられる１つまたは２つ以上の高温ガスノズルからの流れを加熱されるべきチューブの領域へと方向付けることによってチューブを加熱することもできる。
【００８９】
固定要素
第１の固定要素および更なる固定要素は、平面複合体を少なくとも部分的に第１の固定面と更なる固定面との間で固定できる、好ましくは圧着できるように構成される。このため、第１の固定要素または更なる固定要素またはこれらの両方をプリズム形状にすることができ、この場合、プリズムは長方形または台形のベース領域を有することができる。プリズム形状の固定要素の場合、対応する固定面は、プリズムの生成面の一部に相当するプリズムの側面であることが好ましい。また、第１の固定要素または更なる固定要素またはこれらの両方を円形チューブとして構成することができる。固定要素としての円形チューブの場合、対応する固定面は、円形チューブの生成面の一部である。２つの固定面のうちの少なくとも一方、好ましくは第１の固定面は構造が平坦であることが好ましい。２つの固定面のうちの少なくとも一方、好ましくは更なる固定面は、凹部の外側の構造が平坦であることが好ましい。第１の固定要素は、構造がナイフ状またはブレード状またはこれらの両方であることが好ましい。ナイフエッジは、ここでは、正確には、第１の固定面を備える。これに関連して、切断縁は、ナイフ鋭利ではなく、構造が鈍的である。第１の固定要素は、圧力を及ぼすことによって平面複合体を加圧または圧搾できなければならないが、平面複合体を切断しない。ナイフ状およびブレード状という用語は、固定要素の平坦形状を示すべく意図される。好ましくは、固定要素は、本発明に係る幾つかの平面複合体を本発明にしたがって固定要素間で並べて固定できる程度まで縦方向に延在する。このため、本発明によれば、固定要素の少なくとも一方が幾つかの好ましくは同一の凹部を有する。好ましくは、凹部を備える固定要素がバーとして構成される。
【００９０】
好ましくは、凹部が溝である。好ましい溝は、好ましくは切削により形成される縦方向に延在する凹部である。凹部は、固定要素の２つの縁部を備えることが好ましい。領域は、第１の固定面と更なる固定面との間での第１の複合領域および更なる複合領域の加圧中に第１の複合領域にまたは更なる複合領域に損傷が生じないように、好ましくは圧搾が生じないように構成されることが好ましい。損傷は、ここでは、特に、過度の熱の導入に起因する焼損となり得る。
【００９１】
好ましくは、第１の固定要素または更なる固定要素、より好ましくは第１の固定要素は、高周波で、好ましくは超音波域で振動するべく、また、平面複合体に振動を励起するべく、振動体として、好ましくはソノトロードとして構成される。振動の励起により、好ましくはシールするために必要な平面複合体の加熱が行われる。ここでは、平面複合体の層だけがそれらの特定の融解温度を上回る温度まで加熱されることが好ましく、これは、予め結合されない層のシール結合をもたらす方向で寄与するようになっている。好ましくは、第１の固定要素または更なる固定要素、より好ましくは更なる固定要素は、ソノトロードに合わせてアンビルである。ソノトロードは凹部を備えないことが好ましい。
【００９２】
固定要素の外周は、固定要素が縦方向に延在する方向に対して垂直な外周である。プリズム形状の固定要素の場合、固定要素の外周は、正確には、プリズムのベース領域の外周である。固定要素としての円形チューブの場合、固定要素の外周は、正確には、円形チューブの外周である。
【００９３】
継ぎ目
継ぎ目は、少なくとも２つの継ぎ目領域が互いに結合される空間的領域である。継ぎ目領域は、ここでは、継ぎ目に沿って延在する表面または層またはこれらの両方の部分領域である。したがって、継ぎ目領域は継ぎ目に隣接する。２つの層または層配列が継ぎ目に沿って互いに結合される場合には、継ぎ目に沿う一方の層または層配列の部分領域が第１の継ぎ目領域であり、また、継ぎ目に沿う他方の層または層配列の部分領域が更なる継ぎ目領域である。好ましい継ぎ目はシール継ぎ目である。シール継ぎ目の場合、継ぎ目は、シール材料が溶解されてその時点で２つの表面または層またはこれらの両方を互いに結合する空間的領域である。好ましい継ぎ目は気密または液密である。好ましい継ぎ目は頭部継ぎ目である。頭部継ぎ目は、容器をその頭部領域またはゲーブル領域で閉じる密閉容器の継ぎ目である。
【００９４】
滅菌
滅菌とは、製品上または製品中の細菌数を減らすための、製品、好ましくは容器または食料品またはこれらの両方の処理のことである。滅菌は、例えば、熱の作用によってあるいは化学物質との接触によって行うことができる。化学物質は、この場合、気体または液体またはこれらの両方であってもよい。好ましい化学物質は過酸化水素である。
【００９５】
オートクレーブ滅菌
オートクレーブ滅菌とは、製品が圧力チャンバ内に位置されて１００℃を上回る温度まで、好ましくは１００〜１４０℃の温度まで加熱される、製品、通常は充填容器または密閉容器の処理のことである。また、圧力チャンバ内のチャンバ圧は、１バールを上回る、好ましくは１．１バールを上回る、より好ましくは１．２バールを上回る、より好ましくは１．３バールを上回って最大で４バールである。更に好ましくは、オートクレーブ滅菌は、製品と水蒸気との接触下で行われる。
【００９６】
低温殺菌
低温殺菌または低温殺菌処理とは、微生物を殺すための液状またはペースト状の食料品の最大で１００℃の温度にまで至る簡素な加熱のことである。低温殺菌は、とりわけ、ミルク、フルーツ、および、野菜ジュース、ならびに、液状アイスを保管可能に保つのに役立つ。
測定方法
【００９７】
以下の測定方法は本発明との関連で使用された。別段に述べられなければ、測定は、２５℃の周囲温度、１００ｋＰａ（０．９８６ａｔｍ）の外気圧、および、５０％の相対大気湿度で行われた。
【００９８】
ＭＦＲ値
ＭＦＲ値は、標準規格ＩＳＯ１１３３にしたがって（別段に述べられなければ、１９０℃および２．１６ｋｇで）測定される。
【００９９】
密度
密度は、標準規格ＩＳＯ１１８３−１にしたがって測定される。
【０１００】
融解温度
融解温度は、ＤＳＣ法ＩＳＯ１１３５７−１，−５を用いて決定される。以下の測定値を用いて製造業者の指示にしたがって機器が較正される。
−温度  インジウム開始温度
−インジウム溶解熱
−温度  亜鉛開始温度
【０１０１】
酸素透過率
酸素透過率は、２５℃および６５％相対大気湿度で標準規格ＩＳＯ１４６６３−２付録Ｃにしたがって決定される。
【０１０２】
ボール紙の含水率
ボール紙の含水率は、標準規格ＩＳＯ２８７：２００９にしたがって測定される。
【０１０３】
密着性
２つの隣接する層の密着性の決定のために、これらの層は、測定中に４０ｍｍ／分で回転する、９０°剥離試験機、例えばＩｎｓｔｒｏｎが提供しているＧｅｒｍａｎ回転ホイール固定具の回転可能なロール上に固定される。サンプルが予め１５ｍｍ幅のストリップに切断された。サンプルの一方側で、層が互いから引き離され、引き離された端部が垂直上方に方向付けられる引張装置内へと締め込まれる。張力を決定するための測定機が引張装置に取り付けられる。ロールの回転時、層を互いから分離するために必要な力が測定される。この力は、層の互いに対する密着力に対応し、Ｎ／１５ｍｍの単位で表される。個々の層の分離は、例えば、機械的に、または、標的前処理によって、例えば６０℃高温３０％濃度酢酸中で３分間にわたってサンプルを軟化させることによって行うことができる。
【０１０４】
層厚
約２．５〜３．０ｃｍ×１．０〜１．５ｃｍのサイズのサンプルが調査されるべき複合材料から除去される。サンプルの長辺は、押し出し材の延在方向およびボール紙の繊維方向に対して垂直でなければならない。サンプルは、滑らかな表面を形成する金属クランプで固定される。サンプルの突出は２〜３ｍｍを超えるべきでない。金属クランプは切断前に固定される。特にボール紙繊維の清浄な切断を得るために、金属クランプから突出するサンプルの部分が冷凍スプレーを用いて凍結される。この部分は、その後、使い捨て可能なブレード（Ｌｅｉｃａ，  Ｍｉｃｒｏｔｏｍｅ  Ｂｌａｄｅｓ）を用いて除去される。金属クランプでのサンプルの固定は、この時点で、サンプルを金属クランプから約３〜４ｍｍ押し出すことができるように緩められる。その後、サンプルが再び固定される。光学顕微鏡（Ｎｉｃｏｎ  Ｅｃｌｉｐｓｅ  Ｅ８００）下での調査のため、サンプルホルダ内のサンプルは、対物レンズ（倍率Ｘ２．５；Ｘ５；Ｘ１０；Ｘ２０；Ｘ５０）のうちの１つの下側の光学顕微鏡の被写体テーブル上に配置される。調査されるべき領域の層厚にしたがって適切なレンズが選択されるべきである。正確な心出しが顕微鏡下で達成される。殆どの場合、側方からの照明（スワンネックランプ）が光源としての機能を果たす。必要に応じて、光学顕微鏡の反射光照明が付加的にあるいは代わりに使用される。サンプルの最適な合焦および照明の下で、複合体の個々の層を検出できなければならない。解析からの適切な画像処理ソフトウェア（ａｎａｌｙＳＩＳ）を伴うオリンパスのカメラ（Ｏｌｙｍｐｕｓ  ＤＰ  ７１）が文書化および測定のために使用される。これを用いて個々の層の層厚も決定される。
【０１０５】
分子量分布
分子量分布は、光散乱を用いてゲル浸透クロマトグラフィーによって測定される。：ＩＳＯ１６０１４−３／−５
【０１０６】
ＰＡの粘度数
ＰＡの粘度数は、９５％硫酸中で標準規格ＩＳＯ３０７にしたがって測定される。
【０１０７】
漏れ止め性
漏れ止め性検査用の検査剤：Ｍｅｓｓｅｒｓｐｉｔｚｅ  Ｆｅｔｔｂｌａｕ  Ｂ０１を伴うＳｈｅｌｌ  Ｃｈｅｍｉｃａｌｓが提供している１リットルのＳｈｅｌｌｓｏｌ  Ｄ６０（ＣＡＳ  Ｎｏ．  ７３５４−１４−２；Ｃ．Ｉ．Ｓｏｌｖｅｎｔ  Ｂｌｕｅ  ３５  Ａｎｔｈｒａｃｈｉｎｏｎｅ  Ｄｙｅ）。この試験のため、本発明に係る方法４００によって５００個の容器が製造されるとともに、方法ステップｂ）４０２の後でかつ方法ステップｃ）４０３の前に、これらの容器に水が充填される。その後、図１ａ）に係るシールされた頭部領域１１２が得られるように密閉容器が容器の外周に沿って切断される。これは、約２０ｍｌの検査剤で満たされて、３時間にわたって保管される。その後、頭部領域の外側で、シール漏れ時に検査剤がそこで青色の変色を引き起こしてしまったかどうかが検査される。
【０１０８】
溶着継ぎ目変色
この検査のため、本発明に係る方法４００にしたがって容器が製造されるとともに、方法ステップｂ）４０２の後でかつ方法ステップｃ）４０３の前に、これらの容器に水が充填される。その後、図１ａ）に係るシールされた頭部領域１１２が得られるように密閉容器が容器の外周に沿って切断される。その後、頭部領域が平らに加圧され、頭部継ぎ目７０１がゆっくりと包装シールの全長にわたって完全に分けられる。複合領域１０７，１０８が変色に関して検査される。ここでは、特に明確に認識できるドット形状の褐色の変色がマイナスにランク付けされる。
【０１０９】
以下、例および図面によって本発明を更に詳しく説明する。この場合、例および図面は本発明の限定を意味しない。
【０１１０】
表１にまとめられる例においては、図１にしたがって容器前駆体が形成された。複合領域１０７，１０８は図２に示される層配列を備える。頭部領域を閉鎖することにより頭部継ぎ目を形成するためのシール方法に関する情報、および、このために使用される配置が表１に示される。固定要素の配置が全ての例および比較例に関して図２に対応するとは限らない。むしろ、この配置が表１で与えられる。また、固定要素は、全ての場合においてソノトロードおよびアンビルであるとは限らない。これも表１で与えられる。熱風を用いるシールの場合には、固定要素がクランプジョーであり、また、平面複合体は、加圧前に熱風を吹き付けることによってシールされるべき場所が温められた。
【表１】
0006738329.tif 000002
【０１１１】
表１中の「＋」は、「−」よりも長いソノトロードの耐用寿命を表す。ここでは、チタン合金のソノトロードが、ソノトロード本体に割れが生じることによりソノトロードを交換しなければならなくなるまで、稼働する製造工程において継続的に使用された。表１は、凹部がアンビルに位置されてソノトロードに位置されない場合にソノトロードの耐用寿命がより長いことを示す。一般に、頭部継ぎ目の漏れ止め性は、熱風を用いるよりも超音波でシールされるときの方が良好である。熱風が使用される場合には、シールされた複合体に比較的頻繁にチャネルが生じる。これらのチャネルを通じて漏れが生じる。超音波が使用される場合には、そのようなチャネルの形成を実質的に防止できる。その代わり、特に個々の積層体領域の局所的な過度の加熱に起因して変色が生じる可能性がある。これらの変色は漏れの更なる発生源に相当するが、これらの変色は、熱風を用いた加熱によるチャネルほど頻繁に生じない。また、凹部がアンビルに位置されてソノトロードに位置されない場合には、変色の発生、したがって、漏れる頭部継ぎ目の数を減らすことができる。更に、表１では、同じシール方法において、また、超音波の場合に、アンビルまたはソノトロードにおける凹部の一定の配置、縦方向継ぎ目により厚肉化されない積層体の側（図２では下側）での凹部の配置が、漏れの少ない頭部領域のシール継ぎ目をもたらし得ることが分かる。この結果は、例１と比較例１との比較、例２と比較例２との比較、および、例３と比較例３との比較から明らかである。表１において分かるように、全体としては本発明の例３が最良の結果を与える。
【図面の簡単な説明】
【０１１２】
【図１ａ）】本発明に係る第１の複合領域と本発明に係る第２の複合領域とを備える容器前駆体の図。
【図１ｂ）】容器前駆体を備える本発明に係る装置の図。
【図１ｃ）】容器前駆体を備える本発明に係る更なる装置の図。
【図２】本発明に係る装置の断面図。
【図３ａ）】本発明に係る更なる固定面の平面図。
【図３ｂ）】本発明に係る更なる固定面の平面図。
【図３ｃ）】本発明に係る更なる固定面の平面図。
【図４】本発明に係る方法のフロー図。
【図５】本発明に係る方法においてもたらされる平面複合体の断面図。
【図６ａ）】本発明に係る方法の方法ステップｉ）の例図。
【図６ｂ）】本発明に係る方法の方法ステップｉｉ）の例図。
【図６ｃ）】本発明に係る方法の方法ステップｉｉｉ）の例図。
【図６ｄ）】本発明に係る方法の方法ステップｉｖ）の例図。
【図６ｅ）】本発明に係る方法の方法ステップｖ）の例図。
【図６ｆ）】本発明に係る方法の方法ステップｖｉ）の例図。
【図７】本発明に係る密閉容器の図。
【図８ａ）】本発明に係る更なる密閉容器の図。
【図８ｂ）】図８ａ）における密閉容器の継ぎ目および凹陥部を貫く断面図。
【図９】図８ａ）における密閉容器の継ぎ目および凹陥部を貫く縦方向断面図。
【発明を実施するための形態】
【０１１３】
図１ａ）は容器前駆体１０２の図を示す。この容器前駆体は、図１ｂ）における本発明に係る装置１００の構成要素である折り曲げ平面複合体１０１を備える。また、容器前駆体１０２は、食料品を収容する内部１１３を取り囲む。ゲーブル領域とも呼ばれる頭部領域１１２では、容器前駆体１０２が第１の複合領域１０７と更なる複合領域１０８とを備える。第１の複合領域１０７は５．５ｍｍの第１の幅１０９を有する。更なる複合領域１０８は５ｍｍの第２の幅１１０を有する。第１の複合領域１０７および更なる複合領域１０８は、容器前駆体１０２の縦方向継ぎ目１１１に含まれる。縦方向継ぎ目１１１は容器前駆体１０２の全長にわたって延在する。縦方向継ぎ目１１１に沿って、折り曲げ平面複合体１０１の両端が互いに結合され、それにより、容器前駆体１０２が形成される。また、容器前駆体１０２は密閉ベース領域を備える。図１ｂ）における本発明に係る装置１００を使用して頭部領域１１２を閉じることにより、本発明に係る密閉容器７００（図７参照）を容器前駆体１０２から製造することができる。
【０１１４】
図１ｂ）は、図１ａ）における容器前駆体１０２を備える本発明に係る装置１００の図を示す。折り曲げ平面複合体１０１からの容器前駆体１０２に加えて、装置１００は、第１の固定要素１０３と更なる固定要素１０４とを更に備える。第１の固定要素１０３は、チタン合金から形成されるソノトロードである。更なる固定要素１０４は、ソノトロードのためのアンビルである。平面複合体１０１は、ソノトロードの第１の固定面１０５とアンビルの更なる固定面１０６との間で容器前駆体１０２の頭部領域１１２が圧着され、したがって固定される。アンビルは、正方形のベース領域を有するプリズム形状のバーとして構成され、この場合、バーは、図の平面に対して垂直に縦方向で延在する。それに応じて、更なる固定面１０６は構造が平坦である。ソノトロードはブレード状に構成され、この場合、「ブレード」の鈍的な「ナイフエッジ」が第１の固定面１０５である。
【０１１５】
図１ｃ）は、容器前駆体１０２を備える本発明に係る更なる装置１００の図を示す。図１ｃ）における装置１００は、図１ｃ）では更なる固定要素１０４が円形チューブとして構成されるという事実は別として、図１ｂ）における装置１００と同一である。したがって、更なる固定面１０６は、平坦ではなく、円形チューブの生成面の一部として構成される。円形チューブは、図の平面に対して垂直な方向で縦方向に延在する。
【０１１６】
図２は、図１ｂ）からの本発明に係る装置１００の断面図を示す。図２は、ソノトロードの第１の固定面１０５とアンビルの更なる固定面１０６との間で固定される平面複合体１０１の頭部領域１１２内の部位を断面で示す。折り曲げ平面複合体１０１は、図１ａ）に示されるように、第１の複合領域１０７および更なる複合領域１０８を備え、これらの領域はいずれも図１ａ）における容器前駆体１０２の縦方向継ぎ目１１１に含まれる。第１の複合領域１０７は第１の層配列を備え、この第１の層配列は、更なる固定面１０６から第１の固定面１０５へと向かう方向で互いに重なり合う層として、第１の複合層２０１、第２の複合層２０２、第３の複合層２０３、および、第４の複合層２０４を備える。第１の複合層２０１は、更なる固定面１０６から第１の固定面１０５へと向かう方向で第１の複合層配列として、第１のポリエチレン層（図示せず）、第１のキャリア層２０５、第２のポリエチレン層（図示せず）、第１のバリア層２０６、および、第３のポリエチレン層を備える。第２の複合層２０２は、更なる固定面１０６から第１の固定面１０５へと向かう方向で第２の複合層配列として、第１のポリエチレン層（図示せず）、第２のバリア層２０７、第２のポリエチレン層（図示せず）、および、第２のキャリア層２０８を備える。第３の複合層２０３は、更なる固定面１０６から第１の固定面１０５へと向かう方向で第３の複合層配列として、第３のキャリア層２０９、第１のポリエチレン層（図示せず）、第３のバリア層２１０、および、第２のポリエチレン層（図示せず）を備える。第４の複合層２０４は、更なる固定面１０６から第１の固定面１０５へと向かう方向で第４の複合層配列として、第１のポリエチレン層（図示せず）、第４のバリア層２１１、第２のポリエチレン層（図示せず）、第４のキャリア層２１２、および、第３のポリエチレン層（図示せず）を備える。第１の複合領域１０７では、第２の複合層２０２と第３の複合層２０３とが互いに結合される。これらの２つの層間には、中空空間が存在し、平面複合体１０１の更なる層が存在しない。また、第３の複合層２０３は、第３の複合層２０３の第２のポリエチレン層および第４の複合層２０４の第１のポリエチレン層のシールによって第４の複合層２０４に結合される。第１の複合領域において、第２のキャリア層２０８および第３のキャリア層２０９は、いずれの場合にも第１のキャリア層２０５および第４のキャリア層２１２よりも０．５倍分小さい層厚によって特徴付けられる。第２の複合領域１０８は第２の層配列を備え、この第２の層配列は、更なる固定面１０６から第１の固定面１０５へと向かう方向で互いに重なり合う層として、第１の複合層２０１、第２の複合層２０２、および、第４の複合層２０４を備える。第２の複合領域１０８において、第３の複合層２０３は、第３の複合層２０３の第２のポリエチレン層および第４の複合層２０４の第１のポリエチレン層のシールによって第４の複合層２０４に結合される。第２の複合領域１０８において、第２のキャリア層２０８は、第１の複合領域１０７における同じ第２のキャリア層２０８の層厚よりも２倍分大きい層厚によって特徴付けられる。第２の複合層２０２は、図２に示される折り曲げポイントで第３の複合層２０３へと移行する。しかしながら、第１の複合領域１０７においておよび第２の複合領域１０８において、４つの複合層２０１，２０２，２０３，２０４は、前述したように各複合領域１０７，１０８で層配列を形成するように互いへと移行しない。第１の複合領域１０７では、第２のキャリア層２０８および第３のキャリア層２０９がスカイブ加工されるが、第１のキャリア層２０５および第４のキャリア層２１２はスカイブ加工されない。第２の複合領域１０８では、前述したキャリア層のいずれもスカイブ加工されない。図２に現れる全てのバリア層２０６，２０７，２１０，２１１は、Ｈｙｄｒｏ  Ａｌｕｍｉｎｉｕｍ  Ｄｅｕｔｓｃｈｌａｎｄ  ＧｍｂＨが提供しているアルミニウムＥＮ  Ａ  Ｗ  ８０７９から形成される。これらのバリア層２０６，２０７，２１０，２１１は、いずれの場合にも、６μｍの層厚を有するとともに、互いに一体に構成される。これらのバリア層２０６，２０７，２１０，２１１は、平面複合体１０１に属するとともに、いずれの場合にも、折り曲げ部で互いへと移行する。図２には、これが第２のバリア層２０７および第３のバリア層２１０に関して折り曲げ部と共に示される。同様に、図２に現れる全てのキャリア層２０５，２０８，２０９，２１２も互いに一体に構成される。これらのキャリア層２０５，２０８，２０９，２１２は、平面複合体１０１に属するとともに、いずれの場合にも折り曲げ部で互いへと移行する。図２には、これが第２のキャリア層２０８および第３のキャリア層２０９に関して折り曲げ部と共に示される。平面複合体１０１の更なる折り曲げ部は、図２に示されないが、図１ａ）から分かる。図１ａ）における容器前駆体１０２の製造のため、いずれの場合にも両方のキャリア側面上に「コート」を伴うキャリア材料（Ｓｔｏｒａ  Ｅｎｓｏ  Ｏｙｊ  ＡＧが提供しているＳｔｏｒａ  Ｅｎｓｏ  Ｎａｔｕｒａ  Ｔ  Ｄｕｐｌｅｘ  Ｄｏｐｐｅｌｓｔｒｉｃｈ、２００Ｊ／ｍ２のスコットボンド値、残留含水率７．５％）が使用された。したがって、図２における各キャリア層２０５，２０８，２０９，２１２の両方の層表面は、原理上、「コート」を備える。しかしながら、スカイブ加工された層表面は「コート」を備えない。したがって、第３のキャリア層２０７と対向する第２のキャリア層２１６の層表面は、第１の複合領域１０７で「コート」を備えない。また、第１の複合領域１０７では、第２のキャリア層２０８と対向する第３のキャリア層２０９の層表面が「コート」を備えない。全ての前述したポリエチレン層は、Ｉｎｅｏｓ  Ｋoｌｎ  ＧｍｂＨが提供しているＬＤＰＥ  １９Ｎ４３０から形成される。更なる固定要素１０４、すなわち、アンビルは、更なる固定面１０６にある凹陥部である凹部２１３を備える。第１の複合領域１０７および更なる複合領域１０８は、第１の固定面１０５と更なる固定面１０６との間で平面複合体１０１を加圧する際に第１の複合領域１０７および更なる複合領域１０８の層配列のそれぞれの一部が凹部２１３内へ押し込まれるように凹部２１３と第１の固定面１０５との間に位置される。ここで、縦方向継ぎ目１１１の厚肉側、図２では平面複合体１０１��上側が凹部２１３を伴う更なる固定面１０６と対向しておらず、むしろ、凹部２１３を備えない第１の固定面１０５と対向していることに留意すべきである。
【０１１７】
図３ａ）は、本発明に係る更なる固定要素１０４の更なる固定面１０６の平面図を示す。更なる固定面１０６は、平行六面体の更なる固定要素１０４の長方形の平坦な側面である。更なる固定面１０６は、更なる固定要素１０４の一方の縁部から反対側の縁部まで延在する凹部２１３を備える。凹部２１３は、更なる固定要素１０４の外周の方向で長さ３０１を有する。長さ３０１は外周の長さの３０％である。また、凹部２１３は幅３０２を有する。
【０１１８】
図３ｂ）は、更なる固定要素１０４の本発明に係る更なる固定面１０６の平面図を示す。更なる固定面１０６は、平行六面体の更なる固定要素１０４の長方形の平坦な側面である。更なる固定面１０６は、更なる固定要素１０４の一方の縁部から延在して反対側の縁部にまで達しない凹部２１３を備える。凹部２１３は、更なる固定要素１０４の外周の方向で長さ３０１を有する。長さ３０１は外周の長さの２０％である。また、凹部２１３は幅３０２を有する。
【０１１９】
図３ｃ）は、更なる固定要素１０４の本発明に係る更なる固定面１０６の平面図を示す。更なる固定面１０６は、平行六面体の更なる固定要素１０４の長方形の平坦な側面である。更なる固定面１０６は、更なる固定要素１０４の一方の縁部から反対側の縁部まで延在する凹部２１３を備える。凹部２１３は、更なる固定要素１０４の外周の方向で長さ３０１を有する。長さ３０１は外周の長さの３０％である。また、凹部２１３は、外周に沿って小さくなる幅３０２を有する。凹部２１３は、第１の縁部８０３と更なる縁部３０３とによって互いに反対の凹部２１３の側で更に境界付けられる。第１の縁部３０４は直線状の第１の縁部分３０４を構成し、また、更なる縁部３０３は直線状の更なる縁部分３０３を構成する。直線状の第１の縁部分３０４および直線状の更なる縁部分３０３は、２０°の角度３０５を成す。
【０１２０】
図４は、本発明に係る方法４００のフロー図を示す。方法４００によって図７における密閉容器７００を製造できる。方法４００は、図５に係る折り曲げ平面複合体１０１を準備する方法ステップａ）４０１を備える。方法ステップｂ）４０２では、第１の固定面１０５を備える第１の固定要素１０３と更なる固定面１０６を備える更なる固定要素１０４とが準備される。第１の固定要素１０３はチタン合金から形成されるソノトロードである。更なる固定要素１０４はソノトロードのためのアンビルである。ここでは、更なる固定面１０６が凹部２１３を備える。方法ステップｃ）４０３では、平面複合体１０１の第４の複合層２０４と第１の固定面１０５とが、および、第１の複合層２０１と更なる固定面１０６とが、および、第１の複合層２０１と第２の複合層２０２とが、いずれの場合にも、第１の固定面１０５と更なる固定面１０６との間で平面複合体１０１を加圧することによって互いに接触させられる。第１の複合領域１０７および更なる複合領域１０８は、ここでは、凹部２１３と第１の固定面１０５との間に、または、凹部２１３および第１の固定面１０５に位置される。方法ステップｃ）４０３の接触させる最中の平面複合体１０１および２つの固定要素１０３，１０４の配置は、図２における装置１００の配置に対応する。方法ステップｄ）４０４では、第１の複合層２０１が第２の複合層２０２に結合される。このため、超音波振動がソノトロードから平面複合体１０１へ伝えられる。超音波振動は、２００ｍｓにわたって３０ｋＨｚおよび１０μｍの振幅で励起される。このようにして、第１の複合層２０１の第３のポリエチレン層、すなわち、第１のキャリア層２０５から離れる方向を向く一方側で第１のバリア層２０６と重なり合うポリエチレン層が、その融解温度を上回る温度まで加熱される。したがって、結合は、このポリエチレン層を用いたシールである。このシールにより、容器前駆体１０２の頭部領域１１２が閉じられ、したがって、密閉容器７００が得られる。
【０１２１】
図５は、図４からの本発明に係る方法４００のために準備された折り曲げ平面複合体１０１の断面図を示す。折り曲げ平面複合体１０１は、それが縦方向継ぎ目１１１を有する図１ａ）に係る容器前駆体１０２を形成するように折り曲げられてシールされる。容器前駆体１０２は、ここでは、その頭部領域１１２で開口する。折り曲げ平面複合体１０１は、第１の複合層２０１、第２の複合層２０２、第３の複合層２０３、第４の複合層２０４、ならびに、第１の複合領域１０７および更なる複合領域１０８を備える。第１の複合領域１０７は６ｍｍの第１の幅１０９を有する。更なる複合領域１０８は４ｍｍの第２の幅１１０を有する。第１の複合層２０１と第２の複合層２０２との間には中間領域５００が位置される。この結果として、容器前駆体１０２は、前述したように、その頭部領域１１２で開口する。したがって、図５を見る人は、中間領域５００を見るときに、開口した容器前駆体１０２をのぞき込む。４つの複合層２０１，２０２，２０３，２０４の構造は、図２における同じ名称の複合層２０１，２０２，２０３，２０４の構造に対応する。第１の複合領域１０７は第１の層配列を備え、この第１の層配列は、中間領域５００から第１の層配列を通り抜ける方向で互いに重なり合う層として、第２の複合層２０２、第３の複合層２０３、および、第４の複合層２０４を備える。第１の複合領域１０７では、第２の複合層２０２が第３の複合層２０３に結合されない。しかしながら、第３の複合層２０３は第４の複合層２０４にシール結合される。第１の複合領域１０７において、第２のキャリア層２０８および第３のキャリア層２０９はそれぞれ、いずれの場合にも第１のキャリア層２０５および第４のキャリア層２１２よりも小さい層厚によって特徴付けられる。更なる複合領域１０８は第２の層配列を備え、この第２の層配列は、中間領域５００から第２の層配列を通り抜ける方向で互いに重なり合う層として、第２の複合層２０２および第４の複合層２０４を備える。更なる複合領域１０８では、第２の複合層２０２が第４の複合層２０４にシール結合される。更なる複合領域１０８では、第２のキャリア層２０８が第１の複合領域１０７における層厚よりも大きい層厚によって特徴付けられる。第１の複合領域１０７は更なる複合領域１０８に隣接する。
【０１２２】
図６ａ）は、本発明に係る方法４００の方法ステップｉ）の図を示す。方法ステップｉ）では、平面複合体１０１が準備される。平面複合体１０１は層配列６０１を備える。層配列６０１は、互いに重なり合う層として、複合キャリア層６０５および複合バリア層６０４を備える。複合バリア層６０４はアルミニウム層（Ｈｙｄｒｏ  Ａｌｕｍｉｎｉｕｍ  Ｄｅｕｔｓｃｈｌａｎｄ  ＧｍｂＨが提供しているアルミニウムＥＮ  ＡＷ  ８０７９）である。複合キャリア層６０５はボール紙層（Ｓｔｏｒａ  Ｅｎｓｏ  Ｏｙｊ  ＡＧが提供しているＳｔｏｒａ  Ｅｎｓｏ  Ｎａｔｕｒａ  Ｔ  Ｄｕｐｌｅｘ  Ｄｏｐｐｅｌｓｔｒｉｃｈ、２００Ｊ／ｍ２のスコットボンド値、残留含水率７．５％）である。複合キャリア層６０５と複合バリア層６０４との間にはポリエチレン層（図示せず、Ｉｎｅｏｓ  Ｋoｌｎ  ＧｍｂＨが提供しているＬＤＰＥ  １９Ｎ４３０）が位置される。平面複合体１０１を縁部領域６０３と内側領域６０２とに分けることができる。縁部領域６０３は、図６ａ）における破線で内側領域６０２に隣接する。内側領域６０２では、平面複合体１０１が折り目６０６を備える。本発明に係る方法４００の方法ステップａ）４０１で平面複合体１０１を準備することは、図６ａ）〜ｆ）に示される方法ステップｉ）〜ｖｉ）によって実現される。
【０１２３】
図６ｂ）は、本発明に係る方法４００の方法ステップｉｉ）の図を示す。方法４００は、図６ａ）の場合と同じ方法４００である。方法ステップｉｉ）は、縁部領域６０３で複合キャリア層６０５の層厚を減少させることを含む。減少は、ここでは、回転カップブレードを用いた複合キャリア層６０５のスカイブ加工として実施される。これは、ドイツのＷｅｉｌ  ｄｅｒ  ＳｔａｄｔにあるＦｏｒｔｕｎａ  Ｓｐｅｚｉａｌｍａｓｃｈｉｎｅｎ  ＧｍｂＨが提供しているスカイビング工具モデルＶＮ５０を用いて実施される。それにより、複合キャリア層６０５の層厚は、当初の層厚の５０％減少される。
【０１２４】
図６ｃ）は、本発明に係る方法４００の方法ステップｉｉｉ）の図を示す。方法４００は、図６ａ）の場合と同じ方法４００である。方法ステップｉｉｉ）では、縁部領域６０３に折り曲げ部６０７が形成され、したがって、第１の縁部折り曲げ領域６０８と更なる縁部折り曲げ領域６０９とが得られる。第１の縁部折り曲げ領域６０８および更なる縁部折り曲げ領域６０９は折り曲げ部６０７に沿って互いに隣接する。
【０１２５】
図６ｄ）は、本発明に係る方法４００の方法ステップｉｖ）の図を示す。方法４００は、図６ａ）の場合と同じ方法４００である。方法ステップｉｖ）は、第１の縁部折り曲げ領域６０８の表面を更なる縁部折り曲げ領域６０９の表面と接触させることを含む。このため、第１の縁部折り曲げ領域６０８は、折り曲げ部６０７に沿って折り重ねられて更なる縁部折り曲げ領域６０９上に置かれて押し付けられる。
【０１２６】
図６ｅ）は、本発明に係る方法４００の方法ステップｖ）の図を示す。方法４００は、図６ａ）の場合と同じ方法４００である。方法ステップｖ）は、内側領域６０２で折り目６０６に沿って更なる折り曲げ部６１０を形成することにより、第１の複合折り曲げ領域６１１および更なる複合折り曲げ領域６１２を得ることを含む。更なる複合折り曲げ領域６１２は、ここでは、内側領域６０２の一部分６１３を備える。
【０１２７】
図６ｆ）は、本発明に係る方法４００の方法ステップｖｉ）の図を示す。方法４００は、図６ａ）の場合と同じ方法４００である。方法ステップｖｉ）は、第１の複合折り曲げ領域６１１を更なる縁部折り曲げ領域６０９と内側領域６０２の一部分６１３とに結合することを含む。これにより、結合はシールとして行われる。シールは、接触させること、シール温度まで加熱すること、および、加圧することとして実施される。加熱は、ここでは、熱風を吹き付けることによって実施される。このようにして、平面複合体１０１を折り曲げて縦方向継ぎ目１１１を形成することによって方法４００の方法ステップｉ）〜ｖｉ）で容器前駆体１０２が製造される。
【０１２８】
図７は、本発明に係る密閉容器７００の図を示す。密閉容器７００は、図４における方法４００によって得ることができる。密閉容器７００は、一体に構成される折り曲げ平面複合体１０１から形成される。密閉容器７００は、食料品を収容する内部１１３を取り囲む。容器７００は、図４における方法４００によってその頭部領域１１２が閉じられてしまっている。この閉鎖は、超音波シール、したがって頭部継ぎ目７０１の形成によって行われた。
【０１２９】
図８ａ）は、本発明に係る更なる密閉容器８００の図を示す。この容器は折り曲げ平面複合体１０１から形成される。また、容器８００は、食料品を収容する内部１１３を取り囲む。継ぎ目８０２を介して閉じられるゲーブル領域とも呼ばれる頭部領域１１２では、容器８００が第１の複合領域１０７と更なる複合領域１０８とを備える。第１の複合領域１０７は６．５ｍｍの第１の幅１０９を有する。更なる複合領域１０８は４ｍｍの更なる幅１１０を有する。第１の複合領域１０７および更なる複合領域１０８は、容器１３００の縦方向継ぎ目１１１に含まれる。縦方向継ぎ目１１１は容器８００の全長にわたって延在する。縦方向継ぎ目１１１に沿って、折り曲げ平面複合体１０１の両端が互いに結合され、それにより、容器８００が形成される。平面複合体１０１にある、より正確には平面複合体１０１の第１の継ぎ目領域８０１にある凹陥部８０１は、継ぎ目８０２（図８ｂに示される）に沿って延びる。継ぎ目８０２および凹陥部８０１は縦方向継ぎ目１１１と交差する。凹陥部８０１は３ｍｍの幅を有する。折り曲げ平面複合体１０１は全ての側で内部１１３を取り囲み、平面複合体１０１は一体に構成される。
【０１３０】
図８ｂ）は、図８ａ）における密閉容器８００の継ぎ目８０２および凹陥部８０１を貫く断面図を示す。凹陥部８０１は０．５ｍｍの深さを有する。第１の継ぎ目領域８０３および更なる継ぎ目領域８０４が継ぎ目８０２に沿って互いに結合される。第１の継ぎ目領域８０３は継ぎ目８０２に沿って凹陥部８０１を有する。
【０１３１】
図９は、図８ａ）における密閉容器８００の継ぎ目８０２および凹陥部８０１を貫く縦断面図を示す。更なる継ぎ目領域８０４は第１の複合層２０１を備える。第１の継ぎ目領域８０３は、第２の複合層２０２、第３の複合層２０３、第４の複合層２０４、ならびに、第１の複合領域１０７および更なる複合領域１０８を備える。第１の複合層２０１と第２の複合層２０２との間には密封ポリエチレン（Ｉｎｅｏｓ  Ｋoｌｎ  ＧｍｂＨが提供しているＬＤＰＥ  １９Ｎ４３０）から形成される継ぎ目８０２が位置される。第１の複合領域１０７は第１の幅１０９を有する。更なる複合領域１０８は更なる幅１１０を有する。４つの複合層２０１，２０２，２０３，２０４の構造は、図２における同じ名称の複合層２０１，２０２，２０３，２０４の構造に対応する。第１の複合領域１０７は第１の層配列を備え、この第１の層配列は、継ぎ目８０２から第１の層配列を通り抜ける方向で互いに重なり合う層として、第２の複合層２０２、第３の複合層２０３、および、第４の複合層２０４を備える。第１の複合領域１０７では、第２の複合層２０２が第３の複合層２０３に結合されず、また、第３の複合層２０３が第４の複合層２０４に結合される。第１の複合領域１０７に関して、第２のキャリア層２０８および第３のキャリア層２０９は、第４のキャリア層２１２よりも小さい層厚によって特徴付けられる。更なる複合領域１０８は第２の層配列を備え、この第２の層配列は、継ぎ目８０２から第２の層配列を通り抜ける方向で互いに重なり合う層として、第２の複合層２０２および第４の複合層２０４を備える。更なる複合領域１０８では、第２の複合層２０２が第４の複合層２０４に結合される。更なる第２の複合領域１０８に関して、第２のキャリア層２０８は、第１の複合領域１０７における層厚よりも大きい層厚によって特徴付けられる。第１の複合領域１０７は更なる複合領域１０８に隣接する。
【符号の説明】
【０１３２】
１００  本発明に係る装置
１０１  平面複合体
１０２  容器前駆体
１０３  第１の固定要素
１０４  更なる固定要素
１０５  第１の固定面
１０６  更なる固定面
１０７  第１の複合領域
１０８  第２の複合領域
１０９  第１の幅
１１０  更なる幅
１１１  縦方向継ぎ目
１１２  頭部領域
１１３  内部
２０１  第１の複合層
２０２  第２の複合層
２０３  第３の複合層
２０４  第４の複合層
２０５  第１のキャリア層
２０６  第１のバリア層
２０７  第２のバリア層
２０８  第２のキャリア層
２０９  第３のキャリア層
２１０  第３のバリア層
２１１  第４のバリア層
２１２  第４のキャリア層
２１３  凹部
２１４  深さ
３０１  長さ
３０２  幅
３０３  更なる縁部／直線状の更なる縁部領域
３０４  第１の縁部／直線状の第１の縁部領域
３０５  角度
４００  本発明に係る方法
４０１  方法ステップａ）
４０２  方法ステップｂ）
４０３  方法ステップｃ）
４０４  方法ステップｄ）
５００  中間領域
６０１  層配列
６０２  内側領域
６０３  縁部領域
６０４  複合バリア層
６０５  複合キャリア層
６０６  折り目
６０７  折り曲げ部
６０８  第１の縁部折り曲げ領域
６０９  更なる縁部折り曲げ領域
６１０  更なる折り曲げ部
６１１  第１の複合折り曲げ領域
６１２  更なる複合折り曲げ領域
６１３  内側領域の一部分
７００  本発明に係る密閉容器
７０１  頭部継ぎ目
８００  本発明に係る密閉容器
８０１  凹陥部
８０２  継ぎ目
８０３  第１の継ぎ目領域
８０４  更なる継ぎ目領域
【図１ａ）】
0006738329.tif 000003
【図１ｂ）】
0006738329.tif 000004
【図１ｃ）】
0006738329.tif 000005
【図２】
0006738329.tif 000006
【図３ａ）】
0006738329.tif 000007
【図３ｂ）】
0006738329.tif 000008
【図３ｃ）】
0006738329.tif 000009
【図４】
0006738329.tif 000010
【図５】
0006738329.tif 000011
【図６ａ）】
0006738329.tif 000012
【図６ｂ）】
0006738329.tif 000013
【図６ｃ）】
0006738329.tif 000014
【図６ｄ）】
0006738329.tif 000015
【図６ｅ）】
0006738329.tif 000016
【図６ｆ）】
0006738329.tif 000017
【図７】
0006738329.tif 000018
【図８ａ）】
0006738329.tif 000019
【図８ｂ）】
0006738329.tif 000020
【図９】
0006738329.tif 000021